(57)【要約】本発明の実施例はチャネル状態情報のフィードバック、ユーザペアリング及びデータ伝送の方法、装置及びシステムを提供する。チャネル状態情報のフィードバック装置は、基地局にチャネル状態情報をフィードバックするフィードバック部を含み、該チャネル状態情報は、プリコーディング行列インデックス（ＰＭＩ）と、該ＰＭＩに対応する第１チャネル品質インジケータ（ＣＱＩ１）と、方位角基準情報とを含む。本発明の実施例の新たなＣＳＩのフィードバックメカニズムによれば、ｅＮＢは方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ伝送の性能を向上できる。【選択図】図１
2018525888.tif 000002
【特許請求の範囲】
【請求項１】
ユーザ装置に適用される、チャネル状態情報のフィードバック装置であって、
基地局にチャネル状態情報をフィードバックするフィードバック手段を含み、
前記チャネル状態情報は、
プリコーディング行列インデックス（ＰＭＩ）と、
前記ＰＭＩに対応する第１チャネル品質インジケータ（ＣＱＩ１）と、
方位角基準情報と、を含む、装置。
【請求項２】
前記チャネル状態情報は、第２チャネル品質インジケータ（ＣＱＩ２）の指示情報をさらに含み、
前記第２チャネル品質インジケータ（ＣＱＩ２）は、チャネル方向インジケータ（ＣＤＩ）に対応する、請求項１に記載の装置。
【請求項３】
前記第２チャネル品質インジケータ（ＣＱＩ２）の指示情報は、前記第２チャネル品質インジケータ（ＣＱＩ２）、又は前記第２チャネル品質インジケータ（ＣＱＩ２）と前記第１チャネル品質インジケータ（ＣＱＩ１）との差である、請求項２に記載の装置。
【請求項４】
前記方位角基準情報は、前記ＰＭＩに対応する方向と前記ユーザ装置の方向角との有向夾角、或いは前記有向夾角の一対一マッピング関数の値、或いは前記ユーザ装置の準最適ＰＭＩである、請求項１に記載の装置。
【請求項５】
基地局に適用される、マルチユーザ重畳伝送（ＭＵＳＴ）におけるユーザペアリング装置であって、
各ユーザ装置によりフィードバックされたチャネル状態情報を受信する受信手段であって、各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、受信手段と、
同一のＰＭＩを有するユーザ装置を同一のグループに分けるように、各ユーザ装置によりフィードバックされたチャネル状態情報におけるプリコーディング行列インデックス（ＰＭＩ）に基づいて全てのユーザ装置をグループ分けするグループ分け手段と、
所定の評価条件に基づいて、同一のグループにおけるユーザ装置のうち任意の２つのユーザ装置がペアリングされてＭＵＳＴ伝送を行うことができるか否かを評価し、ペアリングされてＭＵＳＴ伝送を行うことができるユーザ装置ペアを決定する評価手段と、を含む、装置。
【請求項６】
前記評価条件は、
前記２つのユーザ装置の間の方位角が第１閾値よりも小さく、且つ
前記２つのユーザ装置の第２チャネル品質インジケータ（ＣＱＩ２）の差の絶対値が第２閾値よりも大きいことであり、
前記第２チャネル品質インジケータ（ＣＱＩ２）はチャネル方向インジケータ（ＣＤＩ）に対応する、請求項５に記載の装置。
【請求項７】
前記評価手段は、
前記２つのユーザ装置の前記方位角基準情報に基づいて前記２つのユーザ装置の間の方位角を算出する第１算出モジュールと、
前記２つのユーザ装置の間の方位角が前記第１閾値よりも大きいか否かを判断する第１判断モジュールと、
前記第１判断モジュールの判断結果がＹＥＳの場合、前記２つのユーザ装置がペアリングできないと決定する決定モジュールと、
前記第１判断モジュールの判断結果がＮＯの場合、前記２つのユーザ装置の前記第２チャネル品質インジケータの差を算出する第２算出モジュールと、
前記２つのユーザ装置の前記第２チャネル品質インジケータの差の絶対値が前記第２閾値よりも大きいか否かを判断する第２判断モジュールと、を含み、
前記決定モジュールは、前記第２判断モジュールの判断結果がＹＥＳの場合、前記２つのユーザ装置がペアリングできると決定し、前記第２判断モジュールの判断結果がＮＯの場合、前記２つのユーザ装置がペアリングできないと決定する、請求項６に記載の装置。
【請求項８】
前記方位角基準情報は、前記プリコーディング行列インデックス（ＰＭＩ）に対応する方向とユーザ装置の方向角との有向夾角、或いは前記有向夾角の一対一マッピング関数の値であり、
前記第１算出モジュールは、前記２つのユーザ装置の前記方位角基準情報に基づいて前記２つのユーザ装置の前記有向夾角を決定し、前記２つのユーザ装置の前記有向夾角に基づいて前記２つのユーザ装置の間の方位角を算出する、請求項７に記載の装置。
【請求項９】
前記方位角基準情報は、準最適ＰＭＩであり、
前記第１算出モジュールは、前記２つのユーザ装置の準最適ＰＭＩが同一であるか否かに基づいて、前記２つのユーザ装置のＰＭＩに対応する方向とそれぞれの方向角との有向夾角の方向を決定し、前記２つのユーザ装置のそれぞれの前記有向夾角の方向に基づいて、前記２つのユーザ装置の第１チャネル品質インジケータと第２チャネル品質インジケータとの差を用いて、前記２つのユーザ装置の間の方位角を算出する、請求項７に記載の装置。
【請求項１０】
前記チャネル状態情報に前記第２チャネル品質インジケータの指示情報が含まれている場合は、前記第２算出モジュールは、前記２つのユーザ装置によりフィードバックされた前記第２チャネル品質インジケータの指示情報に基づいて前記２つのユーザ装置の第２チャネル品質インジケータを決定し、前記２つのユーザ装置の第２チャネル品質インジケータに基づいて前記２つのユーザ装置の第２チャネル品質インジケータの差を算出し、
前記チャネル状態情報に前記第２チャネル品質インジケータの指示情報が含まれていない場合は、前記第２算出モジュールは、前記２つのユーザ装置によりフィードバックされた第１チャネル品質インジケータを前記２つのユーザ装置の第２チャネル品質インジケータとし、前記２つのユーザ装置の第２チャネル品質インジケータに基づいて前記２つのユーザ装置の第２チャネル品質インジケータの差を算出する、請求項７に記載の装置。
【請求項１１】
基地局に適用されるデータ伝送装置であって、
各ユーザ装置によりフィードバックされたチャネル状態情報に基づいて全てのユーザ装置をペアリングし、ＭＵＳＴ伝送を行うことが可能なユーザ装置ペア及びＭＵＳＴ伝送を行うことができないユーザ装置を決定するペアリング手段と、
ＭＵＳＴ伝送を行うことが可能なユーザ装置ペアについて、前記ユーザ装置ペアを構成する２つのユーザ装置によりフィードバックされたチャネル状態情報に基づいて、前記２つのユーザ装置に対してＭＵＳＴ伝送スケジューリングを行う第１スケジューリング手段と、
ＭＵＳＴ伝送を行うことができないユーザ装置について、前記ユーザ装置によりフィードバックされたチャネル状態情報に基づいて、前記ユーザ装置に対して伝送スケジューリングを行う第２スケジューリング手段と、を含み、
各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、装置。
【請求項１２】
前記ペアリング手段は、
各ユーザ装置によりフィードバックされた前記チャネル状態情報（ＣＳＩ）を受信する受信モジュールと、
同一のＰＭＩを有するユーザ装置を同一のグループに分けるように、各ユーザ装置によりフィードバックされたチャネル状態情報（ＣＳＩ）におけるプリコーディング行列インデックス（ＰＭＩ）に基づいて全てのユーザ装置をグループ分けするグループ分けモジュールと、
所定の評価条件に基づいて、同一のグループにおけるユーザ装置のうち任意の２つのユーザ装置がペアリングされてＭＵＳＴ伝送を行うことができるか否かを評価し、ＭＵＳＴ伝送を行うことが可能なユーザ装置ペア及びＭＵＳＴ伝送を行うことができないユーザ装置を決定する評価モジュールと、を含む、請求項１１に記載の装置。
【請求項１３】
前記評価条件は、
前記２つのユーザ装置の間の方位角が第１閾値よりも小さく、且つ
前記２つのユーザ装置の第２チャネル品質インジケータ（ＣＱＩ２）の差の絶対値が第２閾値よりも大きいことであり、
前記第２チャネル品質インジケータ（ＣＱＩ２）はチャネル方向インジケータ（ＣＤＩ）に対応する、請求項１２に記載の装置。
【請求項１４】
前記評価モジュールは、
前記２つのユーザ装置の前記方位角基準情報に基づいて前記２つのユーザ装置の間の方位角を算出する第１算出モジュールと、
前記２つのユーザ装置の間の方位角が前記第１閾値よりも大きいか否かを判断する第１判断モジュールと、
前記第１判断モジュールの判断結果がＹＥＳの場合、前記２つのユーザ装置がペアリングできないと決定する決定モジュールと、
前記第１判断モジュールの判断結果がＮＯの場合、前記２つのユーザ装置の前記第２チャネル品質インジケータの差を算出する第２算出モジュールと、
前記２つのユーザ装置の前記第２チャネル品質インジケータの差の絶対値が前記第２閾値よりも大きいか否かを判断する第２判断モジュールと、を含み、
前記決定モジュールは、前記第２判断モジュールの判断結果がＹＥＳの場合、前記２つのユーザ装置がペアリングできると決定し、前記第２判断モジュールの判断結果がＮＯの場合、前記２つのユーザ装置がペアリングできないと決定する、請求項１３に記載の装置。
【請求項１５】
前記方位角基準情報は、前記ＰＭＩに対応する方向と前記ユーザ装置の方向角との有向夾角、或いは前記有向夾角の一対一マッピング関数の値であり、
前記第１算出モジュールは、前記２つのユーザ装置の前記方位角基準情報に基づいて前記２つのユーザ装置の前記有向夾角を決定し、前記２つのユーザ装置の前記有向夾角に基づいて前記２つのユーザ装置の間の方位角を算出する、請求項１４に記載の装置。
【請求項１６】
前記方位角基準情報は、準最適ＰＭＩであり、
前記第１算出モジュールは、前記２つのユーザ装置の準最適ＰＭＩが同一であるか否かに基づいて、前記２つのユーザ装置のＰＭＩに対応する方向とそれぞれの方向角との有向夾角の方向を決定し、それぞれの有向夾角の方向に基づいて、前記２つのユーザ装置の第１チャネル品質インジケータと第２チャネル品質インジケータとの差を用いて、前記２つのユーザ装置の間の方位角を算出する、請求項１４に記載の装置。
【請求項１７】
前記チャネル状態情報に前記第２チャネル品質インジケータの指示情報が含まれている場合は、前記第２算出モジュールは、前記２つのユーザ装置によりフィードバックされた前記第２チャネル品質インジケータの指示情報に基づいて前記２つのユーザ装置の第２チャネル品質インジケータを決定し、前記２つのユーザ装置の第２チャネル品質インジケータに基づいて前記２つのユーザ装置の第２チャネル品質インジケータの差を算出し、
前記チャネル状態情報に前記第２チャネル品質インジケータの指示情報が含まれていない場合は、前記第２算出モジュールは、前記２つのユーザ装置によりフィードバックされた第１チャネル品質インジケータを前記２つのユーザ装置の第２チャネル品質インジケータとし、前記２つのユーザ装置の第２チャネル品質インジケータに基づいて前記２つのユーザ装置の第２チャネル品質インジケータの差を算出する、請求項１４に記載の装置。
【請求項１８】
前記第１スケジューリング手段は、前記２つのユーザ装置によりフィードバックされたチャネル状態情報におけるプリコーディング行列インデックス（ＰＭＩ）、第２チャネル品質インジケータ（ＣＱＩ２）、及びＰＭＩに対応する方向と前記ユーザ装置の方向角との有向夾角に基づいて、前記２つのユーザ装置のために、電力を割り当て、変調符号化方式を選択し、ビームフォーミングベクトル及びスケジューリングインデックスを算出し、
前記第２スケジューリング手段は、前記ユーザ装置によりフィードバックされたチャネル状態情報におけるプリコーディング行列インデックス（ＰＭＩ）、及び第１チャネル品質インジケータ（ＣＱＩ１）又は第２チャネル品質インジケータ（ＣＱＩ２）に基づいて、前記ユーザ装置のために、変調符号化方式を選択し、ビームフォーミングベクトル及びスケジューリングインデックスを算出する、請求項１５に記載の装置。
【請求項１９】
前記第２スケジューリング手段は、前記ユーザ装置のＰＭＩに対応する方向と前記ユーザ装置の方向角との有向夾角に基づいて、前記ユーザ装置のために、変調符号化方式を選択し、ビームフォーミングベクトル及びスケジューリングインデックスを算出する、請求項１８に記載の装置。
【請求項２０】
前記第１スケジューリング手段は、前記２つのユーザ装置によりフィードバックされたチャネル状態情報におけるプリコーディング行列インデックス（ＰＭＩ）、第１チャネル品質インジケータ（ＣＱＩ１）、及び前記２つのユーザ装置の間の方位角に基づいて、前記２つのユーザ装置のために、電力を割り当て、変調符号化方式を選択し、ビームフォーミングベクトル及びスケジューリングインデックスを算出し、
前記第２スケジューリング手段は、前記ユーザ装置によりフィードバックされたチャネル状態情報におけるプリコーディング行列インデックス（ＰＭＩ）、及び第１チャネル品質インジケータ（ＣＱＩ１）に基づいて、前記ユーザ装置のために、変調符号化方式を選択し、ビームフォーミングベクトル及びスケジューリングインデックスを算出する、請求項１６に記載の装置。
【発明の詳細な説明】
【技術分野】
【０００１】
本発明は、通信技術の分野に関し、特にチャネル状態情報のフィードバック、ユーザペアリング及びデータ伝送の方法、装置及びシステムに関する。
【背景技術】
【０００２】
近年、社会の発展や技術の進歩に伴って、人々の生活は無線通信技術により大きく変化している。指数的に増大するトラヒック及び次々と出現する新たなサービスをサポートするために、将来の無線通信システムは、より短い時間遅延及びより大きいネットワーク容量を具備するべきである。これは、ＬＴＥ（ｌｏｎｇ  Ｔｅｒｍ  Ｅｖｏｌｕｔｉｏｎ：ロングタームエボリューション)／ＬＴＥ−Ａｄｖａｎｃｅｄ（強化されたＬＴＥ）に代表される既存の第４世代無線通信システムに新たな課題をもたらした。そのため、世界の各大手研究機関や標準化団体は次々に第５世代無線通信システムを研究し始めている。
【０００３】
今まで、全ての無線通信システムは直交多元接続を多元接続技術として採用している。情報の理論から分かるように、非直交多元接続は直交多元接続よりも大きなチャネル容量を有する。従って、非直交多元接続技術は第５世代無線通信システムの研究における注目点となっている。様々な非直交多元接続技術では、最も代表的なものは、電力次元のマルチユーザの多重化、例えば第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）のＬＴＥ−Ａｄｖａｎｃｅｄのリリース１３におけるダウンリンクのマルチユーザ重畳伝送（ＭＵＳＴ：ｍｕｌｔｉｕｓｅｒ  ｓｕｐｅｒｐｏｓｉｔｉｏｎ  ｔｒａｎｓｍｉｓｓｉｏｎ）技術である。
【０００４】
以下は、一般性を失うことなく、２つのユーザ装置（ＵＥ：Ｕｅｓｒ  Ｅｑｕｉｐｍｅｎｔ）を例にしてＭＵＳＴ技術の基本的な原理を説明する。
【０００５】
まず、各ＵＥは、構成された基準信号（例えばＣＲＳ（Ｃｏｍｍｏｎ  Ｒｅｆｅｒｅｎｃｅ  Ｓｉｇｎａｌ：共通基準信号）、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：チャネル状態情報基準信号）等）を測定し、算出されたチャネル状態情報（ＣＳＩ：Ｃｈａｎｎｅｌ  Ｓｔａｔｅ  Ｉｎｆｏｒｍａｔｉｏｎ）、例えばプリコーディング行列インデックス（ＰＭＩ：Ｐｒｅｃｏｄｉｎｇ  Ｍａｔｒｉｘ  Ｉｎｄｉｃａｔｏｒｓ）及びチャネル品質インジケータ（ＣＱＩ：Ｃｈａｎｎｅｌ  Ｑｕａｌｉｔｙ  Ｉｎｄｉｃａｔｏｒ）を基地局（ｅＮＢ）にフィードバックする。そして、ｅＮＢは、各ＵＥによりフィードバックされたチャネル状態情報に基づいて、各ＵＥペアがペアリングされてＭＵＳＴ伝送を行うことができるか否かを評価する。ＭＵＳＴ伝送を行う可能な２つのＵＥは、通常２つの条件を満たす必要があり、１つ目は、２つのＵＥによりフィードバックされたＰＭＩが同一であることあり、２つ目は、２つのＵＥのＣＱＩの差が十分に大きい（所定の閾値よりも大きい）ことである。
【０００６】
ｅＮＢは、データを送信する際に、２つのＵＥのパスロスの差を十分に利用して、２つのＵＥのデータを重畳符号化し、即ち、比較的に遠いＵＥに比較的に大きい電力を割り当て、比較的に近いＵＥに比較的に小さい電力を割り当てる。データを受信する際に、比較的に遠いＵＥは、受けた干渉（即ち比較的に近いＵＥのデータ信号）そのものの送信電力が比較的に小さく、比較的に大きいパスロスによりさらに弱くなるため、自分のデータ信号を直接に検出してもよい。比較的に近いＵＥは、まず高い信号対雑音比を有する比較的に遠いＵＥのデータ信号を検出して、干渉を除去して（受信信号から既に検出された比較的に遠いＵＥのデータ信号を除いて）、自分のデータ信号を検出する必要がある。
【０００７】
コードブックのサイズの制限により、各ＵＥによりフィードバックされたＰＭＩと実際の方向角との間に誤差が常に存在する。ここで、実際の方向角は、チャネル方向インジケータ（ＣＤＩ：Ｃｈａｎｎｅｌ  Ｄｉｒｅｃｔｉｏｎ  Ｉｎｄｉｃａｔｏｒ）に対応する。同一のＰＭＩを有する２つのＵＥの方向角は常に異なる。特にＭＵＳＴ伝送の場合は、２つのＵＥの誤差が累積するため、ＭＵＳＴ伝送を行うための２つのペアリングされたＵＥの間の方位角が大きくなってしまう。図１はペアリングされた２つのＵＥによるＭＵＳＴ送信を示す図である。図１に示すように、ＵＥ１はＭＵＳＴ伝送を行うためのペアリングされたＵＥのうちｅＮＢから比較的に遠いＵＥであり、そのＰＭＩに対応する方向とその方向角との有向夾角はθ１であり、ＵＥ２はＭＵＳＴ伝送を行うためのペアリングされたＵＥのうちｅＮＢから比較的に近いＵＥであり、そのＰＭＩに対応する方向とその方向角との有向夾角はθ２であり、この２つのペアリングされたＵＥの間の方位角はθ１−θ２であり、ここで、θ１は正のものであり、θ２は負のものであり、或いはθ１は負のものであり、θ２は正のものである。図１から分かるように、２つのＵＥのＰＭＩの定量的誤差の累積により、２つのＵＥの間に比較的に大きい方位角が存在するため、ＭＵＳＴ伝送における少なくとも１つのＵＥのビームフォーミングのゲインが低下し、ＭＵＳＴ伝送の性能が低下してしまう。
【０００８】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００９】
上述したように、従来のチャネル状態情報のフィードバックメカニズムでは、ｅＮＢはＵＥ間の方位角を正確に知ることができない。従って、比較的に大きい方位角を有する２つのＵＥを選択してペアリング及びＭＵＳＴ伝送を行う可能性がある。
【００１０】
比較的に大きい方位角を有するＵＥのペアリングを回避するために、本発明の実施例は、ｅＮＢがＵＥ間の方位角を知ることができ、比較的に大きい方位角を有するＵＥを選択してペアリングを行うことを回避できる、強化されたチャネル状態情報のフィードバックメカニズムを提供する。
【課題を解決するための手段】
【００１１】
本発明の実施例の第１態様では、ユーザ装置に適用される、チャネル状態情報のフィードバック装置であって、基地局にチャネル状態情報をフィードバックするフィードバック手段を含み、前記チャネル状態情報は、プリコーディング行列インデックス（ＰＭＩ）と、前記ＰＭＩに対応する第１チャネル品質インジケータ（ＣＱＩ１）と、方位角基準情報と、を含む、装置を提供する。
【００１２】
本発明の実施例の第２態様では、基地局に適用される、マルチユーザ重畳伝送（ＭＵＳＴ）におけるユーザペアリング装置であって、各ユーザ装置によりフィードバックされたチャネル状態情報を受信する受信手段であって、各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、受信手段と、同一のＰＭＩを有するユーザ装置を同一のグループに分けるように、各ユーザ装置によりフィードバックされたチャネル状態情報におけるプリコーディング行列インデックス（ＰＭＩ）に基づいて全てのユーザ装置をグループ分けするグループ分け手段と、所定の評価条件に基づいて、同一のグループにおけるユーザ装置のうち任意の２つのユーザ装置がペアリングされてＭＵＳＴ伝送を行うことができるか否かを評価し、ペアリングされてＭＵＳＴ伝送を行うことができるユーザ装置ペアを決定する評価手段と、を含む、装置を提供する。
【００１３】
本発明の実施例の第３態様では、基地局に適用されるデータ伝送装置であって、各ユーザ装置によりフィードバックされたチャネル状態情報に基づいて全てのユーザ装置をペアリングし、ＭＵＳＴ伝送を行うことが可能なユーザ装置ペア及びＭＵＳＴ伝送を行うことができないユーザ装置を決定するペアリング手段と、ＭＵＳＴ伝送を行うことが可能なユーザ装置ペアについて、前記ユーザ装置ペアを構成する２つのユーザ装置によりフィードバックされたチャネル状態情報に基づいて、前記２つのユーザ装置に対してＭＵＳＴ伝送スケジューリングを行う第１スケジューリング手段と、ＭＵＳＴ伝送を行うことができないユーザ装置について、前記ユーザ装置によりフィードバックされたチャネル状態情報に基づいて、前記ユーザ装置に対して伝送スケジューリングを行う第２スケジューリング手段と、を含み、各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、装置を提供する。
【００１４】
本発明の実施例の第４態様では、ユーザ装置に適用される、チャネル状態情報のフィードバック方法であって、基地局にチャネル状態情報をフィードバックするステップを含み、前記チャネル状態情報は、プリコーディング行列インデックス（ＰＭＩ）と、前記ＰＭＩに対応する第１チャネル品質インジケータ（ＣＱＩ１）と、方位角基準情報と、を含む、方法を提供する。
【００１５】
本発明の実施例の第５態様では、基地局に適用される、マルチユーザ重畳伝送（ＭＵＳＴ）におけるユーザペアリング方法であって、各ユーザ装置によりフィードバックされたチャネル状態情報を受信するステップであって、各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、ステップと、同一のＰＭＩを有するユーザ装置を同一のグループに分けるように、各ユーザ装置によりフィードバックされたチャネル状態情報におけるプリコーディング行列インデックス（ＰＭＩ）に基づいて全てのユーザ装置をグループ分けするステップと、所定の評価条件に基づいて、同一のグループにおけるユーザ装置のうち任意の２つのユーザ装置がペアリングされてＭＵＳＴ伝送を行うことができるか否かを評価し、ペアリングされてＭＵＳＴ伝送を行うことができるユーザ装置ペアを決定するステップと、を含む、方法を提供する。
【００１６】
本発明の実施例の第６態様では、基地局に適用されるデータ伝送方法であって、各ユーザ装置によりフィードバックされたチャネル状態情報に基づいて全てのユーザ装置をペアリングし、ＭＵＳＴ伝送を行うことが可能なユーザ装置ペア及びＭＵＳＴ伝送を行うことができないユーザ装置を決定するステップと、ＭＵＳＴ伝送を行うことが可能なユーザ装置ペアについて、前記ユーザ装置ペアを構成する２つのユーザ装置によりフィードバックされたチャネル状態情報に基づいて、前記２つのユーザ装置に対してＭＵＳＴ伝送スケジューリングを行うステップと、ＭＵＳＴ伝送を行うことができないユーザ装置について、前記ユーザ装置によりフィードバックされたチャネル状態情報に基づいて、前記ユーザ装置に対して伝送スケジューリングを行うステップと、を含み、各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、方法を提供する。
【００１７】
本発明の実施例の第７態様では、上記第１態様に記載のチャネル状態情報のフィードバック装置を含むユーザ装置を提供する。
【００１８】
本発明の実施例の第８態様では、上記第２態様に記載のユーザペアリング装置又は上記第３態様に記載のデータ伝送装置を含む基地局を提供する。
【００１９】
本発明の実施例の第９態様では、上記第７態様に記載の装置及び上記第８態様に記載の基地局を含む通信システムを提供する。
【００２０】
本発明の実施例の有益な効果としては、本実施例の新たなＣＳＩのフィードバックメカニズムによれば、ｅＮＢは方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００２１】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２２】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２３】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２４】
ここで含まれる図面は、本発明の実施例を理解させるためのものであり、本明細書の一部を構成し、本発明の実施例を例示するためのものであり、文言の記載と合わせて本発明の原理を説明する。なお、ここに説明される図面は、単なる本発明の実施例を説明するためのものであり、当業者にとって、これらの図面に基づいて他の図面を容易に得ることができる。
【図１】ペアリングされた２つのＵＥによるＭＵＳＴ伝送を示す図である。
【図２】本実施例のチャネル状態情報のフィードバック装置の構成を示す図である。
【図３】本実施例のユーザペアリング装置の構成を示す図である。
【図４】本実施例のユーザペアリング装置における評価部の構成を示す図である。
【図５】本実施例のデータ伝送装置の構成を示す図である。
【図６】本実施例のデータ伝送装置におけるペアリング部の構成を示す図である。
【図７】本実施例のデータ伝送装置におけるペアリング部の評価モジュールの構成を示す図である。
【図８】本実施例のチャネル状態情報のフィードバック方法のフローチャートである。
【図９】本実施例のユーザペアリング方法のフローチャートである。
【図１０】本実施例のユーザペアリング方法におけるペアリング評価のフローチャートである。
【図１１】本実施例のデータ伝送方法のフローチャートである。
【図１２】本実施例の１つの態様の全体的なフローチャートである。
【図１３】図１２におけるペアリング評価のフローチャートである。
【図１４】本実施例のもう１つの態様の全体的なフローチャートである。
【図１５】図１４におけるペアリング評価のフローチャートである。
【図１６】本実施例のユーザ装置の構成を示す図である。
【図１７】本実施例の基地局の構成を示す図である。
【図１８】本実施例の通信システムのトポロジを示す図である。
【発明を実施するための形態】
【００２５】
本発明の上記及びその他の特徴は、図面及び下記の説明により理解できるものである。明細書及び図面では、本発明の特定の実施形態、即ち本発明の原則に従う一部の実施形態を表すものを公開している。なお、本発明は説明される実施形態に限定されず、本発明は、特許請求の範囲内の全ての修正、変形されたもの、及び均等なものを含む。以下は、図面を参照しながら本発明の各実施形態を説明する。これらの実施形態は単なる例示的なものであり、本発明を限定するものではない。
【００２６】
＜実施例１＞
本発明の実施例は、チャネル状態情報のフィードバック装置を提供し、該装置はユーザ装置（ＵＥ）に適用される。図２は該装置の構成を示す図であり、図２に示すように、チャネル状態情報のフィードバック装置２００はフィードバック部２０１を含む。
【００２７】
フィードバック部２０１は、基地局にチャネル状態情報（ＣＳＩ）をフィードバックする。ここで、該チャネル状態情報（ＣＳＩ）は、プリコーディング行列インデックス（ＰＭＩ）と、該プリコーディング行列インデックス（ＰＭＩ）に対応する第１チャネル品質インジケータ（ＣＱＩ１）と、方位角基準情報とを含む。
【００２８】
本実施例では、従来技術と異なり、ＵＥは、ｅＮＢにＣＳＩをフィードバックする際に、ＰＭＩ及び該ＰＭＩに対応するＣＱＩ（ＣＱＩ１）をフィードバックすることに加えて、ｅＮＢに方位角基準情報をさらにフィードバックする。これによって、ｅＮＢは、各ＵＥによりフィードバックされた方位角基準情報、及び各ＵＥのＣＤＩに対応するＣＱＩ（本実施例では第２チャネル品質インジケータ（ＣＱＩ２）を称され、該第２チャネル品質インジケータは、ＵＥにより第２チャネル品質インジケータ（ＣＱＩ２）の指示情報を介してフィードバックされてもよいし、各ＵＥによりフィードバックされたＣＱＩ１に基づいてｅＮＢにより決定されてもよい）に基づいて、各ＵＥがペアリングされてＭＵＳＴ伝送を行うことができるか否かを評価し、ペアリングされてＭＵＳＴ伝送を行うことができるＵＥｓを決定してもよい。これによって、ｅＮＢは方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００２９】
本実施例では、上述したように、方位角基準情報をフィードバックすることに加えて、該ＵＥは、第２チャネル品質インジケータ（ＣＱＩ２）の指示情報をさらにフィードバックしてもよく、第２チャネル品質インジケータ（ＣＱＩ２）は、チャネル方向インジケータ（ＣＤＩ）に対応する。これによって、ｅＮＢは、該第２チャネル品質インジケータ（ＣＱＩ２）及び上記方位角基準情報を参考して、各ＵＥがペアリングされてＭＵＳＴ伝送を行うことができるか否かを評価でき、ペアリングされてＭＵＳＴ伝送を行うことが可能なＵＥｓを決定できる。
【００３０】
本実施例では、ＵＥが上記第２チャネル品質インジケータ（ＣＱＩ２）の指示情報をフィードバックしていない場合、ｅＮＢは、該ＵＥによりフィードバックされたＣＱＩ１を該ＵＥのＣＱＩ２として上記の評価を行う。具体的な内容は、以下の実施例で説明される。
【００３１】
本実施例では、該第２チャネル品質インジケータ（ＣＱＩ２）の指示情報は、該第２チャネル品質インジケータ自体、即ちＣＱＩ２であってもよいし、該第２チャネル品質インジケータ（ＣＱＩ２）と該第１チャネル品質インジケータ（ＣＱＩ１）との差、即ちＣＱＩ２−ＣＱＩ１であってもよく、このようにして、同様にＣＤＩに対応するＣＱＩ２をフィードバックするように機能することができる。ＣＤＩに対応する該ＣＱＩ２をフィードバックすることで、ｅＮＢはユーザのペアリングを評価できる。具体的な内容は以下の実施例で説明される。
【００３２】
本実施例の１つの態様では、方位角基準情報は、該ＰＭＩに対応する方向とユーザ装置の方向角との有向夾角（図１に示すθ１、θ２）、或いは該有向夾角の一対一マッピング関数の値、例えば正弦関数、正接関数などである。これによって、同様に該有向夾角をフィードバックするように機能することができる。該有向夾角をフィードバックすることで、ｅＮＢは、これに基づいて、ペアリングの評価を行うための２つのＵＥ間の方位角を算出でき、ユーザのペアリングを評価できる。具体的な内容は以下の実施例で説明される。
【００３３】
本実施例のもう１つの態様では、方位角基準情報は、該ユーザ装置の準最適ＰＭＩである。該準最適ＰＭＩをフィードバックすることで、ｅＮＢは、ＵＥによりフィードバックされたＰＭＩに対応する方向と該ＵＥの方向角との有向夾角の方向を決定でき、ＵＥによりフィードバックされたＰＭＩ及びＣＤＩにそれぞれ対応する２つのＣＱＩの差に基づいて該有向夾角の幅の大きさを決定できる。これによって、ペアリングの評価を行うための２つのＵＥ間の方位角を算出でき、ユーザのペアリングを評価できる。具体的な内容は以下の実施例で説明される。
【００３４】
本実施例のチャネル状態情報のフィードバック装置によれば、ＵＥは該ＣＳＩをフィードバックでき、ｅＮＢは、ペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００３５】
＜実施例２＞
本発明の実施例はマルチユーザ重畳伝送（ＭＵＳＴ）におけるユーザペアリング装置を提供し、該装置は基地局（ｅＮＢ）に適用される。図３は該装置の構成を示す図であり、図３に示すように、ユーザペアリング装置３００は、受信部３０１、グループ分け部３０２及び評価部３０３を含む。
【００３６】
本実施例では、受信部３０１は、各ユーザ装置によりフィードバックされたチャネル状態情報（ＣＳＩ）を受信する。ここで、各ユーザ装置によりフィードバックされたチャネル状態情報は、実施例１に説明されたように、その内容はここで援用し、重複する説明が省略される。
【００３７】
本実施例では、グループ分け部３０２は、各ユーザ装置によりフィードバックされたＣＳＩにおけるＰＭＩに基づいて全てのユーザ装置をグループ分け、例えば同一のＰＭＩを有するユーザ装置を同一のグループに分ける。ここで、同一のＰＭＩを有するユーザ装置だけはペアリングされてＭＵＳＴ伝送を行うことができるため、ｅＮＢは同一のＰＭＩを有するＵＥを同一のグループに分ける。
【００３８】
本実施例では、評価部３０３は、所定の評価条件に基づいて、同一のグループにおけるユーザ装置のうち任意の２つのユーザ装置がペアリングされてＭＵＳＴ伝送を行うことができるか否かを評価し、ペアリングされてＭＵＳＴ伝送を行うことができるユーザ装置ペアを決定する。
【００３９】
本実施例では、評価条件は、該２つのユーザ装置の間の方位角が第１閾値よりも小さく、且つ該２つのユーザ装置の第２チャネル品質インジケータ（ＣＱＩ２）の差の絶対値が第２閾値よりも大きいことであってもよい。ここで、第２チャネル品質インジケータ（ＣＱＩ２）はチャネル方向インジケータ（ＣＤＩ）に対応する。
【００４０】
本実施例では、評価部３０３は、所定の評価条件に基づいて同一のグループにおけるユーザ装置のうち任意の２つのユーザ装置がペアリングされてＭＵＳＴ伝送を行うことができるか否かを評価する際に、まずこの２つのＵＥの方位角基準情報に基づいてこの２つのＵＥ間の方位角を算出し、そして、該評価条件に基づいて、この２つのＵＥがペアリングされてＭＵＳＴ伝送を行うことができるか否かを評価する。
【００４１】
図４は評価部３０３の１つの態様の構成を示す図である。図４に示すように、この態様では、評価部３０３は、第１算出モジュール４０１、第１判断モジュール４０２、決定モジュール４０３、第２算出モジュール４０４及び第２判断モジュール４０５を含む。
【００４２】
この態様では、第１算出モジュール４０１は、該２つのユーザ装置の方位角基準情報に基づいて該２つのユーザ装置の間の方位角を算出する。
【００４３】
ここで、異なる方位角基準情報に応じて、第１算出モジュール４０１による２つのユーザ装置の間の方位角の算出方法も異なる。
【００４４】
１つの態様では、方位角基準情報は、該ＰＭＩに対応する方向とＵＥの方向角との有向夾角、或いは該有向夾角の一対一マッピング関数の値である。この態様では、第１算出モジュール４０１は、該方位角基準情報に基づいて該ＵＥの該有向夾角を決定し、この２つのユーザ装置の該有向夾角に基づいてこの２つのユーザ装置の間の方位角を算出してもよい。ここで、方位角基準情報が該ＰＭＩに対応する方向とＵＥの方向角との有向夾角であり、図１に示すように、ＵＥ１がθ１を報告し、ＵＥ２がθ２を報告する場合、第１算出モジュール４０１は、該方位角基準情報に基づいて該有向夾角を直接決定してもよく、該方位角基準情報が該有向夾角の一対一マッピング関数の値である場合、第１算出モジュール４０１は、該関数の値に基づいて該有向夾角を決定してもよい。ＰＭＩに対応する方向とこの２つのＵＥの方向角との有向夾角があれば、ｅＮＢはこの２つのＵＥ間の方位角を取得できる。ここで、この２つの有向夾角のうち１つが正のものであり、もう１つが負のものであるため、ｅＮＢは、この２つの夾角を減算し、この２つのＵＥ間の方位角θ１，２＝｜θ１−θ２｜を取得してもよい。
【００４５】
もう１つの態様では、方位角基準情報は準最適ＰＭＩであり、この態様では、第１算出モジュール４０１は、まずこの２つのＵＥの準最適ＰＭＩが同一であるか否かに基づいて、この２つのＵＥのＰＭＩに対応する方向とそれぞれの方向角との有向夾角の方向を決定し、そして、それぞれの該有向夾角の方向に基づいて、この２つのＵＥの第１チャネル品質インジケータと第２チャネル品質インジケータとの差を用いて、この２つのＵＥの間の方位角を算出してもよい。ここで、もしこの２つのＵＥの準最適ＰＭＩが同一であると、この２つのＵＥがその報告されたＰＭＩに対応する方向の同一側に位置することを意味し、図１に示すＵＥ１及びＵＥ３のように、この２つのＵＥにより報告されたＰＭＩが同一であり、且つこの２つのＵＥにより報告された準最適ＰＭＩも同一であるため、この２つのＵＥはその報告されたＰＭＩに対応する方向の同一側に位置する。一方、もしこの２つのＵＥの準最適ＰＭＩが異なると、この２つのＵＥがその報告されたＰＭＩに対応する方向の異なる側に位置することを意味し、図１に示すＵＥ１及びＵＥ２のように、この２つのＵＥにより報告されたＰＭＩが同一であるが、この２つのＵＥにより報告された準最適ＰＭＩが異なるため、この２つのＵＥはその報告されたＰＭＩに対応する方向の異なる側に位置する。２つのＵＥの有向夾角の方向を取得した後に、ｅＮＢは、第１算出モジュール４０１により、ＵＥによりフィードバックされたＰＭＩ及びＣＤＩにそれぞれ対応する２つのＣＱＩの差に基づいてＵＥの方向角とＰＭＩに対応する方向との夾角の幅の大きさ、即ちこの２つのＵＥ間の方位角を算出できる。
【００４６】
例えば、この２つのＵＥがＰＭＩの同一側に位置する場合、ｅＮＢは、下記の式（１）に従ってこの２つのＵＥ間の方位角を算出してもよく、この２つのＵＥがＰＭＩの異なる側に位置する場合、ｅＮＢは、下記の式（２）に従ってこの２つのＵＥ間の方位角を算出してもよい。
【数１】
2018525888.tif 000003
【数２】
2018525888.tif 000004
【００４７】
ここで、θｉ，ｊはＵＥｉとＵＥｊとの間の方位角であり、ＣＱＩｉ，ＰＭＩはＵＥｉのＰＭＩに対応するＣＱＩであり、ＣＱＩｉ，ＣＤＩはＵＥｉのＣＤＩに対応するＣＱＩであり、ＣＱＩｊ，ＰＭＩはＵＥｊのＰＭＩに対応するＣＱＩであり、ＣＱＩｊ，ＣＤＩはＵＥｊのＣＤＩに対応するＣＱＩである。
【００４８】
本実施例では、第１判断モジュール４０２は、該２つのユーザ装置の間の方位角が前記第１閾値よりも大きいか否かを判断する。本実施例では、第１閾値を予め設定して、ＭＵＳＴ伝送を行うための２つのユーザ装置の間の方位角を制限する。２つのユーザ装置の間の方位角が該第１閾値よりも大きい場合、この２つのユーザ装置がＭＵＳＴ伝送に適しないことを意味し、ｅＮＢはこの２つのユーザ装置を、ＭＵＳＴ伝送を行うためのユーザペアとしない。
【００４９】
本実施例では、決定モジュール４０３は、第１判断モジュール４０２の判断結果がＹＥＳの場合、該２つのユーザ装置がペアリングできないと決定する。即ち、第１判断モジュールの判断結果がＹＥＳの場合、この２つのユーザ装置の間の方位角が該第１閾値よりも大きいことを意味し、上述したように、この２つのユーザ装置がＭＵＳＴ伝送に適しない。
【００５０】
第２算出モジュール４０４は、第１判断モジュール４０２の判断結果がＮＯの場合、該２つのユーザ装置の該第２チャネル品質インジケータの差を算出する。
【００５１】
本実施例の１つの態様では、第２チャネル品質インジケータは、受信されたＣＳＩにおける第２チャネル品質インジケータの指示情報を介して取得されてもよい。即ち、上述したように、該チャネル状態情報に第２チャネル品質インジケータの指示情報が含まれている場合は、第２算出モジュール４０４は、該２つのユーザ装置によりフィードバックされた第２チャネル品質インジケータの指示情報に基づいて該２つのユーザ装置の第２チャネル品質インジケータを決定し、該２つのユーザ装置の第２チャネル品質インジケータに基づいて該２つのユーザ装置の第２チャネル品質インジケータの差を算出する。
【００５２】
本実施例のもう１つの態様では、第２チャネル品質インジケータはｅＮＢにより指定されてもよい。即ち、該チャネル状態情報に前記第２チャネル品質インジケータの指示情報が含まれていない場合は、第２算出モジュール４０４は、該２つのユーザ装置によりフィードバックされた第１チャネル品質インジケータを該２つのユーザ装置の第２チャネル品質インジケータとし、該２つのユーザ装置の第２チャネル品質インジケータに基づいて該２つのユーザ装置の第２チャネル品質インジケータの差を算出する。
【００５３】
本実施例では、第２判断モジュール４０５は、該２つのユーザ装置の第２チャネル品質インジケータの差の絶対値が第２閾値よりも大きいか否かを判断する。本実施例では、第１判断モジュール４０２の判断結果がＮＯの場合、この２つのユーザ装置の間の方位角が許容範囲内にあることを意味するが、必ずしもこの２つのユーザ装置がペアリングされてＭＵＳＴ伝送を行うことができると決定しない。本実施例では、もう１つの閾値（本実施例では第２閾値と称される）を用いて、該２つのユーザ装置がペアリングされてＭＵＳＴ伝送を行うことができるか否かを制限する。例えば、この２つのユーザ装置の第２チャネル品質インジケータの差の絶対値が該第２閾値よりも大きい場合、この２つのユーザ装置の実際のチャネル品質の差が比較的に大きく、ペアリング及びＭＵＳＴ伝送に適すると判断する。一方、この２つのユーザ装置の第２チャネル品質インジケータの差の絶対値が該第２閾値以下である場合、この２つのユーザ装置の実際のチャネル品質が比較的に小さく、ペアリング及びＭＵＳＴ伝送に適しないと判断する。
【００５４】
本実施例では、決定モジュール４０３は、第２判断モジュール４０５の判断結果がＹＥＳの場合、該２つのユーザ装置がペアリングされてＭＵＳＴ伝送を行うことができると決定し、第２判断モジュール４０５の判断結果がＮＯの場合、該２つのユーザ装置がペアリングされてＭＵＳＴ伝送を行うことができないと決定する。
【００５５】
本実施例のユーザペアリング装置によれば、ｅＮＢは各ＵＥによりフィードバックされたチャネル状態情報に基づいて全てのＵＥをグループ分け、同一のＰＭＩを有するＵＥを同一のグループに分け、各グループの可能なＵＥについてペアリングされてＭＵＳＴ伝送を行うことができるか否かを評価する。これによって、ｅＮＢは、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００５６】
＜実施例３＞
本発明の実施例はデータ伝送装置を提供し、該装置は基地局（ｅＮＢ）に適用される。図５は該装置の構成を示す図であり、図５に示すように、データ伝送装置５００は、ペアリング部５０１、第１スケジューリング部５０２及び第２スケジューリング部５０３を含む。
【００５７】
本実施例では、ペアリング部５０１は、各ユーザ装置によりフィードバックされたチャネル状態情報に基づいて全てのユーザ装置をペアリングし、ＭＵＳＴ伝送を行うことが可能なユーザ装置ペア及びＭＵＳＴ伝送を行うことができないユーザ装置を決定する。本実施例の１つの態様では、ペアリング部５０１は、実施例２におけるユーザペアリング装置３００により実現されてもよい。図６はペアリング部５０１の構成を示す図であり、図６に示すように、ペアリング部５０１は、受信モジュール６０１、グループ分けモジュール６０２及び評価モジュール６０３を含む。ここで、受信モジュール６０１は実施例２におけるユーザペアリング装置の受信部３０１により実現されてもよく、グループ分けモジュール６０２は実施例２におけるユーザペアリング装置のグループ分け部３０２により実現されてもよく、評価モジュール６０３は実施例２におけるユーザペアリング装置の評価部３０３により実現されてもよく、実施例２の受信部３０１、グループ分け部３０２及び評価部３０３の内容をここで援用し、重複する説明が省略される。図７は本実施例の評価モジュール６０３の構成を示す図であり、図７に示すように、評価モジュール６０３は、第１算出モジュール７０１、第１判断モジュール７０２、決定モジュール７０３、第２算出モジュール７０４及び第２判断モジュール７０５を含む。ここで、第１算出モジュール７０１、第１判断モジュール７０２、決定モジュール７０３、第２算出モジュール７０４及び第２判断モジュール７０５は実施例２における第１算出モジュール４０１、第１判断モジュール４０２、決定モジュール４０３、第２算出モジュール４０４及び第２判断モジュール４０５により実現されてもよく、実施例２の上記内容をここで援用し、重複する説明が省略される。
【００５８】
本実施例では、第１スケジューリング部５０２は、ＭＵＳＴ伝送を行うことが可能なユーザ装置ペアについて、該ユーザ装置ペアを構成する２つのユーザ装置によりフィードバックされたチャネル状態情報に基づいて、該２つのユーザ装置に対してＭＵＳＴ伝送スケジューリングを行う。
【００５９】
本実施例では、第２スケジューリング部５０３は、ＭＵＳＴ伝送を行うことができないユーザ装置について、該ユーザ装置によりフィードバックされたチャネル状態情報に基づいて、該ユーザ装置に対して伝送スケジューリングを行う。
【００６０】
本実施例の１つの態様では、上述したように、ＵＥによりフィードバックされたＣＳＩは、ＰＭＩ、該ＰＭＩに対応するＣＱＩ（ＣＱＩ１）、及び方位角基準情報、例えば該ＰＭＩと方向角との夾角、或いは該夾角の一対一マッピング関数の値、或いは該ＵＥの準最適ＰＭＩを含む。
【００６１】
本実施例のもう１つの態様では、上述したように、ＵＥによりフィードバックされたＣＳＩは、ＰＭＩ、該ＰＭＩに対応するＣＱＩ（ＣＱＩ１）、ＣＤＩに対応するＣＱＩ（ＣＱＩ２）の指示情報、例えば該ＣＱＩ２自体又は該ＣＱＩ２と該ＣＱＩ１との差、及び方位角基準情報、例えば該ＰＭＩと方向角との夾角、或いは該夾角の一対一マッピング関数の値、或いは該ＵＥの準最適ＰＭＩを含む。
【００６２】
本実施例の１つの態様では、ＵＥによりフィードバックされた方位角基準情報が該ＰＭＩに対応する方向と方向角との有向夾角、或いは該有向夾角の一対一マッピング関数の値である場合、第１スケジューリング部５０２は、ペアリングされたＭＵＳＴ伝送を行うことが可能なユーザ装置ペアの２つのユーザ装置によりフィードバックされたＰＭＩ、ＣＱＩ２（オプション）、及びＰＭＩと方向角との夾角に基づいて、該２つのユーザ装置のために、電力を割り当て、変調符号化方式を選択し、ビームフォーミングベクトル及びスケジューリングインデックス等を算出してもよい。このように、該２つのユーザ装置がデータ伝送を行うようにスケジューリングする。ここで、ＣＱＩ２は該ＣＱＩ２の指示情報を介して取得されてもよく、該ＰＭＩと方向角との夾角は該方位角基準情報を介して取得されてもよい。
【００６３】
この態様では、第２スケジューリング部５０３は、ペアリングされてＭＵＳＴ伝送を行うことができないユーザ装置によりフィードバックされたＰＭＩ、及びＣＱＩ１又はＣＱＩ２（オプション）に基づいて、該ユーザ装置のために、変調符号化方式を選択し、ビームフォーミングベクトル及びスケジューリングインデックスを算出してもよい。このように、該ユーザ装置がデータ伝送を行うようにスケジューリングする。好ましくは、第２スケジューリング部５０３は、該ＰＭＩと方向角との夾角に基づいて該ユーザ装置をスケジューリングしてもよい。ここで、ＣＱＩ２は該ＣＱＩ２の指示情報を介して取得されてもよく、該ＰＭＩと方向角との夾角は該方位角基準情報を介して取得されてもよい。
【００６４】
本実施例のもう１つの態様では、ＵＥによりフィードバックされた方位角基準情報が準最適ＰＭＩである場合、第１スケジューリング部５０２は、ペアリングされてＭＵＳＴ伝送を行うことが可能なユーザ装置ペアの２つのユーザ装置によりフィードバックされたＰＭＩ、ＣＱＩ１、及び該２つのユーザ装置の間の方位角に基づいて、該２つのユーザ装置のために、電力を割り当て、変調符号化方式を選択し、ビームフォーミングベクトル及びスケジューリングインデックス等を算出してもよい。このように、該２つのユーザ装置がデータ伝送を行うようにスケジューリングする。ここで、該２つのユーザ装置の間の方位角は該第１算出モジュール７０１により算出されてもよい。
【００６５】
この態様では、第２スケジューリング部５０３は、ペアリングされてＭＵＳＴ伝送を行うことができないユーザ装置によりフィードバックされたＰＭＩ及びＣＱＩ１に基づいて、該ユーザ装置のために、変調符号化方式を選択し、ビームフォーミングベクトル及びスケジューリングインデックスを算出してもよい。このように、該ユーザ装置がデータ伝送を行うようにスケジューリングする。
【００６６】
本実施例では、各スケジューリングリソースユニット（例えばサブバンド）について、ｅＮＢは、第１スケジューリング部５０２及び第２スケジューリング部５０３を介して、全ての候補ＵＥペア（ＭＵＳＴ伝送）及び単独ＵＥ（直交伝送）の利用可能なスケジューリングインデックス（例えばスループット、ＰＦ因子（ｐｒｏｐｏｒｔｉｏｎ  ｆａｉｒｎｅｓｓｆａｃｔｏｒ）等）をそれぞれ算出し、これに基づいてスケジューリングリソースユニットを割り当てる。
【００６７】
本実施例のデータ伝送装置によれば、ｅＮＢは、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００６８】
＜実施例４＞
本発明の実施例はチャネル状態情報のフィードバック方法を提供し、該方法はユーザ装置（ＵＥ）に適用される。該方法の課題解決の原理は、実施例１の装置と類似するため、その具体的な実施は実施例１の装置の実施を参照してもよく、同様な内容について説明が省略される。
【００６９】
図８は該方法のフローチャートであり、図８に示すように、該方法は以下のステップを含む。
【００７０】
ステップ８０１：ユーザ装置は基地局にチャネル状態情報をフィードバックする。ここで、該チャネル状態情報は、プリコーディング行列インデックス（ＰＭＩ）と、該プリコーディング行列インデックス（ＰＭＩ）に対応する第１チャネル品質インジケータ（ＣＱＩ１）と、方位角基準情報とを含む。
【００７１】
本実施例では、該チャネル状態情報は、第２チャネル品質インジケータ（ＣＱＩ２）の指示情報をさらに含んでもよく、第２チャネル品質インジケータ（ＣＱＩ２）は、チャネル方向インジケータ（ＣＤＩ）に対応する。
【００７２】
本実施例では、該第２チャネル品質インジケータ（ＣＱＩ２）の指示情報は、該第２チャネル品質インジケータ（ＣＱＩ２）であってもよいし、該第２チャネル品質インジケータ（ＣＱＩ２）と該第１チャネル品質インジケータ（ＣＱＩ１）との差であってもよい。
【００７３】
本実施例では、該方位角基準情報は、該ＰＭＩに対応する方向とユーザ装置の方向角との有向夾角、或いは該有向夾角の一対一マッピング関数の値、或いは該ユーザ装置の準最適ＰＭＩであってもよい。
【００７４】
本実施例のチャネル状態情報のフィードバック方法によれば、ＵＥは該ＣＳＩをフィードバックでき、ｅＮＢは、ペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００７５】
＜実施例５＞
本発明の実施例はマルチユーザ重畳伝送（ＭＵＳＴ）におけるユーザペアリング方法をさらに提供し、該方法はｅＮＢに適用される。該方法の課題解決の原理は、実施例２の装置と類似するため、その具体的な実施は実施例２の装置の実施を参照してもよく、同様な内容について説明が省略される。
【００７６】
図９は該方法のフローチャートであり、図９に示すように、該方法は以下のステップを含む。
【００７７】
ステップ９０１：基地局は各ユーザ装置によりフィードバックされたチャネル状態情報を受信する。ここで、各ユーザ装置によりフィードバックされたチャネル状態情報は、プリコーディング行列インデックス（ＰＭＩ）、該ＰＭＩに対応する第１チャネル品質インジケータ（ＣＱＩ１）、及び方位角基準情報を含み、或いはプリコーディング行列インデックス（ＰＭＩ）、該ＰＭＩに対応する第１チャネル品質インジケータ（ＣＱＩ１）、第２チャネル品質インジケータ（ＣＱＩ２）の指示情報、及び方位角基準情報を含む。ここで、該第２チャネル品質インジケータ（ＣＱＩ２）はチャネル方向インジケータ（ＣＤＩ）に対応する。
【００７８】
ステップ９０２：該基地局は、同一のＰＭＩを有するユーザ装置を同一のグループに分けるように、各ユーザ装置によりフィードバックされた該チャネル状態情報におけるプリコーディング行列インデックス（ＰＭＩ）に基づいて全てのユーザ装置をグループ分けする。
【００７９】
ステップ９０３：該基地局は、所定の評価条件に基づいて、同一のグループにおけるユーザ装置のうち任意の２つのユーザ装置がペアリングされてＭＵＳＴ伝送を行うことができるか否かを評価し、ＭＵＳＴ伝送を行うことができるユーザ装置ペアを決定する。
【００８０】
本実施例では、上述したように、第２チャネル品質インジケータ（ＣＱＩ２）の指示情報は、該第２チャネル品質インジケータ（ＣＱＩ２）であってもよいし、該第２チャネル品質インジケータ（ＣＱＩ２）と該第１チャネル品質インジケータ（ＣＱＩ１）との差であってもよい。方位角基準情報は、該ＰＭＩに対応する方向と該ユーザ装置の方向角との有向夾角であってもよいし、該有向夾角の一対一マッピング関数の値であってもよいし、該ユーザ装置の準最適ＰＭＩであってもよい。
【００８１】
本実施例では、該評価条件は、該２つのユーザ装置の間の方位角が第１閾値よりも小さく、且つ該２つのユーザ装置の第２チャネル品質インジケータ（ＣＱＩ２）の差の絶対値が第２閾値よりも大きいことであってもよく、該評価条件を満たす２つのＵＥは、ペアリングされてＭＵＳＴ伝送を行うことができる。ここで、該第２チャネル品質インジケータ（ＣＱＩ２）はチャネル方向インジケータ（ＣＤＩ）に対応する。
【００８２】
本実施例では、ステップ９０３は図１０の方法により実現されてもよい。図１０に示すように、該方法は以下のステップを含む。
【００８３】
ステップ１００１：該基地局は該２つのユーザ装置の該方位角基準情報に基づいて該２つのユーザ装置の間の方位角を算出する。
【００８４】
ステップ１００２：該基地局は、該２つのユーザ装置の間の方位角が第１閾値よりも大きいか否かを判断し、ＹＥＳの場合、該２つのユーザ装置がペアリングできないと決定し、そうでない場合、ステップ１００３を実行する。
【００８５】
ステップ１００３：該２つのユーザ装置の該第２チャネル品質インジケータの差を算出する。
【００８６】
ステップ１００４：該基地局は、該２つのユーザ装置の該第２チャネル品質インジケータの差の絶対値が第２閾値よりも大きいか否かを判断し、ＹＥＳの場合、該２つのユーザ装置がペアリングできると決定し、そうでない場合、該２つのユーザ装置がペアリングできないと決定する。
【００８７】
本実施例では、該方位角基準情報が該プリコーディング行列インデックス（ＰＭＩ）に対応する方向と方向角との有向夾角、或いは該有向夾角の一対一マッピング関数の値である場合、該基地局は、該２つのユーザ装置の前記方位角基準情報に基づいて該２つのユーザ装置の該有向夾角を決定し、該２つのユーザ装置の該有向夾角に基づいて該２つのユーザ装置の間の方位角を算出してもよい。具体的な算出方法は上記のものであり、ここでその説明が省略される。
【００８８】
本実施例では、該方位角基準情報は準最適ＰＭＩである場合、該基地局は、該２つのユーザ装置の準最適ＰＭＩが同一であるか否かに基づいて、該２つのユーザ装置のＰＭＩに対応する方向とそれぞれの方向角との有向夾角の方向を決定し、該２つのユーザ装置のそれぞれの該有向夾角の方向に基づいて、該２つのユーザ装置によりフィードバックされたＰＭＩ及びＣＤＩにそれぞれ対応する２つのＣＱＩ（第１チャネル品質インジケータと第２チャネル品質インジケータ）との差を用いて、該２つのユーザ装置の間の方位角を算出してもよい。具体的な算出方法は上記のものであり、ここでその説明が省略される。
【００８９】
本実施例のユーザペアリング方法によれば、ｅＮＢは各ＵＥによりフィードバックされたチャネル状態情報に基づいて全てのＵＥをグループ分け、同一のＰＭＩを有するＵＥを同一のグループに分け、各グループの可能なＵＥについてペアリングされてＭＵＳＴ伝送を行うことができるか否かを評価する。これによって、ｅＮＢは、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００９０】
＜実施例６＞
本発明の実施例はデータ伝送方法をさらに提供し、該方法はｅＮＢに適用される。該方法の課題解決の原理は、実施例３の装置と類似するため、その具体的な実施は実施例３の装置の実施を参照してもよく、同様な内容について説明が省略される。
【００９１】
図１１は該方法のフローチャートであり、図１１に示すように、該方法は以下のステップを含む。
【００９２】
ステップ１１０１：基地局は、各ユーザ装置によりフィードバックされたチャネル状態情報に基づいて全てのユーザ装置をペアリングし、ＭＵＳＴ伝送を行うことが可能なユーザ装置ペア及びＭＵＳＴ伝送を行うことができないユーザ装置を決定する。
【００９３】
ステップ１１０２：該基地局は、ＭＵＳＴ伝送を行うことが可能なユーザ装置ペアについて、該ユーザ装置ペアを構成する２つのユーザ装置によりフィードバックされたチャネル状態情報に基づいて、該２つのユーザ装置に対してＭＵＳＴ伝送スケジューリングを行い、ＭＵＳＴ伝送を行うことができないユーザ装置について、該ユーザ装置によりフィードバックされたチャネル状態情報に基づいて、該ユーザ装置に対して伝送スケジューリングを行う。
【００９４】
本実施例の１つの態様では、上述したように、各ユーザ装置によりフィードバックされたチャネル状態情報は、プリコーディング行列インデックス（ＰＭＩ）、該ＰＭＩに対応する第１チャネル品質インジケータ（ＣＱＩ１）、及び方位角基準情報を含んでもよい。
【００９５】
本実施例のもう１つの態様では、上述したように、各ユーザ装置によりフィードバックされたチャネル状態情報は、プリコーディング行列インデックス（ＰＭＩ）、該ＰＭＩに対応する第１チャネル品質インジケータ（ＣＱＩ１）、第２チャネル品質インジケータ（ＣＱＩ２）の指示情報、及び方位角基準情報を含んでもよく、該第２チャネル品質インジケータ（ＣＱＩ２）はチャネル方向インジケータ（ＣＤＩ）に対応する。
【００９６】
本実施例では、ステップ１１０１は実施例５の方法により実現されてもよく、ここでその内容を援用し、その説明を省略する。
【００９７】
本実施例の１つの態様では、ステップ１１０２において、ＭＵＳＴ伝送を行うことが可能なユーザ装置ペアについて、ｅＮＢは、該２つのユーザ装置によりフィードバックされたプリコーディング行列インデックス（ＰＭＩ）、第２チャネル品質インジケータ（ＣＱＩ２）（オプション）、及びＰＭＩに対応する方向と方向角との夾角に基づいて、該２つのユーザ装置のために、電力を割り当て、変調符号化方式を選択し、ビームフォーミングベクトル及びスケジューリングインデックスを算出してもよい。ここで、第２チャネル品質インジケータ（ＣＱＩ２）はユーザ装置によりフィードバックされたＣＳＩの第２チャネル品質インジケータ（ＣＱＩ２）の指示情報を介して取得されてもよく、該ＰＭＩと方向角との夾角はユーザ装置によりフィードバックされた方位角基準情報を介して取得されてもよい。ＭＵＳＴ伝送を行うことができないユーザ装置について、ｅＮＢは、該ユーザ装置によりフィードバックされたプリコーディング行列インデックス（ＰＭＩ）、第１チャネル品質インジケータ（ＣＱＩ１）又は第２チャネル品質インジケータ（ＣＱＩ２）（オプション）、及びＰＭＩと方向角との夾角（オプション）に基づいて、該ユーザ装置のために、変調符号化方式を選択し、ビームフォーミングベクトル及びスケジューリングインデックスを算出してもよい。ここで、第２チャネル品質インジケータ（ＣＱＩ２）はユーザ装置によりフィードバックされたＣＳＩの第２チャネル品質インジケータ（ＣＱＩ２）の指示情報を介して取得されてもよく、該ＰＭＩと方向角との夾角はユーザ装置によりフィードバックされた方位角基準情報を介して取得されてもよい。
【００９８】
本実施例のもう１つの態様では、ステップ１１０２において、ＭＵＳＴ伝送を行うことが可能なユーザ装置ペアについて、ｅＮＢは、該２つのユーザ装置によりフィードバックされた方位角基準情報におけるプリコーディング行列インデックス（ＰＭＩ）、第１チャネル品質インジケータ（ＣＱＩ１）、及び該２つのユーザ装置の間の方位角に基づいて、該２つのユーザ装置のために、電力を割り当て、変調符号化方式を選択し、ビームフォーミングベクトル及びスケジューリングインデックスを算出してもよい。ここで、該２つのユーザ装置の間の方位角は該方位角基準情報に基づいて算出されてもよく、ここの方位角基準情報は準最適ＰＭＩであってもよい。ＭＵＳＴ伝送を行うことができないユーザ装置ペアについて、ｅＮＢは、該ユーザ装置によりフィードバックされた方位角基準情報におけるプリコーディング行列インデックス（ＰＭＩ）、第１チャネル品質インジケータ（ＣＱＩ１）に基づいて、該ユーザ装置のために、変調符号化方式を選択し、ビームフォーミングベクトル及びスケジューリングインデックスを算出してもよい。
【００９９】
本実施例のデータ伝送方法によれば、ｅＮＢは、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１００】
実施例１〜６の装置又は方法の原理をより明確にさせるために、以下は図面を参照しながらＵＥ及びｅＮＢの動作プロセスを説明する。なお、以下の図面及び動作プロセスは単なる一例であり、本発明の実施例を制限するものではない。
【０１０１】
図１２は実施例１〜６の装置又は方法の１つの態様のフローチャートであり、図１３は図１２のフローにおけるｅＮＢによる任意の２つのＵＥへのペアリング評価のフローチャートである。
【０１０２】
図１３に示すように、該フローは以下のステップを含む。
【０１０３】
ステップ１３０１：ＵＥはｅＮＢにＣＳＩをフィードバックする。
【０１０４】
この態様では、ＵＥによりフィードバックされたＣＳＩは、ＰＭＩ、ＰＭＩに対応するＣＱＩ（ＣＱＩ１）、ＣＤＩに対応するＣＱＩ（ＣＱＩ２）又はＣＤＩに対応するＣＱＩ（ＣＱＩ２）とＰＭＩに対応するＣＱＩ（ＣＱＩ１）との差、及びＰＭＩと方向角との夾角又は該夾角の一対一マッピング関数の値を含む。
【０１０５】
この態様では、ＵＥ＃ｉ（ｉ＝１、２、…）を一例にすると、ＵＥ＃ｉによりフィードバックされたＣＳＩは、以下を含む。
【０１０６】
１）ＰＭＩ：ＰＭＩｉ
２）ＰＭＩに対応するＣＱＩ：ＣＱＩｉ，ＰＭＩ
３）ＣＤＩに対応するＣＱＩ：ＣＱＩｉ，ＣＤＩ、又はＣＤＩに対応するＣＱＩとＰＭＩに対応するＣＱＩとの差：ＣＱＩｉ，ＣＤＩ−ＣＱＩｉ，ＰＭＩ
４）ＰＭＩと方向角との夾角：ｄｉ
ステップ１２０２：ｅＮＢはＵＥのＰＭＩに基づいてＵＥをグループ分けする。
【０１０７】
この態様では、各ＵＥによりフィードバックされた該ＣＳＩを受信した後に、ｅＮＢは、まず各ＵＥのＰＭＩに基づいて全てのＵＥをグループ分けする。
【０１０８】
ステップ１２０３：ｅＮＢはＵＥペアがペアリングできるか否かを評価する。
【０１０９】
この態様では、ｅＮＢは各グループにおける任意の２つのＵＥについてペアリングの評価を行う。ここで、ペアリング評価を行うためのＵＥペアがＵＥ＃ｉ及びＵＥ＃ｊを一例にする。具体的な評価のプロセスは図１２において説明する。
【０１１０】
ステップ１２０４：ペアリング可能な各ＵＥペアについて、ｅＮＢは、該２つのＵＥによりフィードバックされた該ＣＳＩにおける１）、３）及び４）に基づいて、該２つのユーザ装置のために、電力を割り当て、変調符号化方式を選択し、ビームフォーミングベクトルを算出する。
【０１１１】
ステップ１２０５：各単独ＵＥ（ペアリングができないＵＥ）について、ｅＮＢは、該ＵＥによりフィードバックされた該ＣＳＩにおける１）、２）又は３）、及び４）（オプション）に基づいて、該ユーザ装置のために、変調符号化方式を選択し、ビームフォーミングベクトルを算出する。
【０１１２】
ステップ１２０６：ｅＮＢは、全てのＵＥペア及び単独ＵＥのスケジューリングインデックスを算出する。
【０１１３】
ステップ１２０７：ｅＮＢは、全てのＵＥをスケジューリングしてデータ伝送を行う。
【０１１４】
図１３に示すように、ペアリング評価のフローは以下のステップを含む。
【０１１５】
ステップ１３０１：ｅＮＢは該２つのＵＥの間の方位角を算出する。
【０１１６】
この態様では、ペアリング評価を行うためのＵＥがＵＥ＃ｉ及びＵＥ＃ｊであることを一例にすると、ｅＮＢは該２つのＵＥのそれぞれのＣＳＩを取得してもよく、該ＣＳＩは以下のものを含む。
【０１１７】
１）ＰＭＩに対応するＣＱＩ：ＣＱＩｉ，ＰＭＩ及びＣＱＩｊ，ＰＭＩ
２）ＣＤＩに対応するＣＱＩ：ＣＱＩｉ，ＣＤＩ及びＣＱＩｊ，ＣＤＩ、又はＣＤＩに対応するＣＱＩとＰＭＩに対応するＣＱＩとの差：ＣＱＩｉ，ＣＤＩ−ＣＱＩｉ，ＰＭＩ及びＣＱＩｊ，ＣＤＩ−ＣＱＩｊ，ＰＭＩ
３）ＰＭＩと方向角との夾角：ｄｉ及びｄｊ
この態様では、上記情報３）によると、ｅＮＢは、該２つのＵＥの間の方位角、例えばθｉ，ｊ＝｜ｄｉ−ｄｊ｜を算出してもよい。
【０１１８】
ステップ１３０２：ｅＮＢは、θｉ，ｊが第１閾値θｔｈｒｅｓｈｏｌｄよりも大きいか否かを判断する。
【０１１９】
この態様では、判断結果がＹＥＳの場合、ＵＥ＃ｉ及びＵＥ＃ｊがペアリングされてＭＵＳＴ伝送を行うことができないと決定する。
【０１２０】
ステップ１３０３：ｅＮＢは、２つのＵＥのＣＤＩに対応するＣＱＩの差を算出する。
【０１２１】
この態様では、上記情報２）によると、ｅＮＢは、該２つのＵＥのＣＤＩに対応するＣＱＩを取得することで、該２つのＵＥのＣＤＩに対応するＣＱＩの差、即ちΔｉ，ｊ＝｜ＣＱＩｉ，ＣＤＩ−ＣＱＩｊ，ＣＤＩ｜を取得してもよい。
【０１２２】
ステップ１３０４：ｅＮＢは、Δｉ，ｊが第２閾値Δｔｈｒｅｓｈｏｌｄよりも大きいか否かを判断する。
【０１２３】
この態様では、判断結果がＹＥＳの場合、ＵＥ＃ｉ及びＵＥ＃ｊがペアリングされてＭＵＳＴ伝送を行うことができると決定し、そうでない場合、ＵＥ＃ｉ及びＵＥ＃ｊがペアリングされてＭＵＳＴ伝送を行うことができないと決定する。
【０１２４】
この態様のフローによれば、ＵＥはＣＤＩに対応するＣＱＩ、及びＰＭＩと方向角との夾角を含むＣＳＩをフィードバックでき、ｅＮＢは、これに基づいてペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１２５】
図１４は実施例１〜６の装置又は方法のもう１つの態様のフローチャートであり、図１５は図１４のフローにおけるｅＮＢによる任意の２つのＵＥへのペアリング評価のフローチャートである。
【０１２６】
図１４に示すように、該フローは以下のステップを含む。
【０１２７】
ステップ１４０１：ＵＥはｅＮＢにＣＳＩをフィードバックする。
【０１２８】
この態様では、図１１の態様と異なって、ＵＥによりフィードバックされたＣＳＩは、ＰＭＩ、ＰＭＩに対応するＣＱＩ（ＣＱＩ１）、ＣＤＩに対応するＣＱＩ（ＣＱＩ２）又はＣＤＩに対応するＣＱＩ（ＣＱＩ２）とＰＭＩに対応するＣＱＩ（ＣＱＩ１）との差、及び準最適ＰＭＩを含む。
【０１２９】
この態様では、ＵＥ＃ｉ（ｉ＝１、２、…）を一例にすると、ＵＥ＃ｉによりフィードバックされたＣＳＩは、以下を含む。
【０１３０】
１）ＰＭＩ（最適）：ＰＭＩｉ
２）ＰＭＩに対応するＣＱＩ：ＣＱＩｉ，ＰＭＩ
３）ＣＤＩに対応するＣＱＩ：ＣＱＩｉ，ＣＤＩ、又はＣＤＩに対応するＣＱＩとＰＭＩに対応するＣＱＩとの差：ＣＱＩｉ，ＣＤＩ−ＣＱＩｉ，ＰＭＩ
４）準最適ＰＭＩ：ＰＭＩｉ，ｓｕｂｏｐｔ
ステップ１４０２：ｅＮＢはＵＥのＰＭＩに基づいてＵＥをグループ分けする。
【０１３１】
この態様では、各ＵＥによりフィードバックされた該ＣＳＩを受信した後に、ｅＮＢは、まず各ＵＥのＰＭＩに基づいて全てのＵＥをグループ分けする。
【０１３２】
ステップ１４０３：ｅＮＢはＵＥペアがペアリングできるか否かを評価する。
【０１３３】
この態様では、ｅＮＢは各グループにおける任意の２つのＵＥについてペアリングの評価を行う。ここで、ペアリング評価を行うためのＵＥペアがＵＥ＃ｉ及びＵＥ＃ｊを一例にする。具体的な評価のプロセスは図１４において説明する。
【０１３４】
ステップ１４０４：ペアリング可能な各ＵＥペアについて、ｅＮＢは、該２つのＵＥによりフィードバックされた該ＣＳＩにおける１）、２）及び方位角に基づいて、該２つのユーザ装置のために、電力を割り当て、変調符号化方式を選択し、ビームフォーミングベクトルを算出する。
【０１３５】
ステップ１４０５：各単独ＵＥ（ペアリングができないＵＥ）について、ｅＮＢは、該ＵＥによりフィードバックされた該ＣＳＩにおける１）、２）に基づいて、該ユーザ装置のために、変調符号化方式を選択し、ビームフォーミングベクトルを算出する。
【０１３６】
ステップ１４０６：ｅＮＢは、全てのＵＥペア及び単独ＵＥのスケジューリングインデックスを算出する。
【０１３７】
ステップ１４０７：ｅＮＢは、全てのＵＥをスケジューリングしてデータ伝送を行う。
【０１３８】
図１５に示すように、ペアリング評価のフローは以下のステップを含む。
【０１３９】
ステップ１５０１：ｅＮＢは該２つのＵＥの準最適ＰＭＩが同一であるか否かを判断する。
【０１４０】
この態様では、ペアリング評価を行うためのＵＥがＵＥ＃ｉ及びＵＥ＃ｊであることを一例にすると、ｅＮＢは該２つのＵＥのそれぞれのＣＳＩを取得してもよく、該ＣＳＩは以下のものを含む。
【０１４１】
１）ＰＭＩに対応するＣＱＩ：ＣＱＩｉ，ＰＭＩ及びＣＱＩｊ，ＰＭＩ
２）ＣＤＩに対応するＣＱＩ：ＣＱＩｉ，ＣＤＩ及びＣＱＩｊ，ＣＤＩ、又はＣＤＩに対応するＣＱＩとＰＭＩに対応するＣＱＩとの差：ＣＱＩｉ，ＣＤＩ−ＣＱＩｉ，ＰＭＩ及びＣＱＩｊ，ＣＤＩ−ＣＱＩｊ，ＰＭＩ
３）準最適ＰＭＩ：ＰＭＩｉ，ｓｕｂｏｐｔ及びＰＭＩｊ，ｓｕｂｏｐｔ
この態様では、上記情報３）によると、ｅＮＢは、該２つのＵＥの準最適ＰＭＩが同一であるか否かを決定してもよい。
【０１４２】
ステップ１５０２：ｅＮＢは、該２つのＵＥの間の方位角を算出する。
【０１４３】
この態様では、準最適ＰＭＩが同一であり、或いは異なるかにより、該２つのＵＥがＰＭＩの同一側に位置するか、それとも異なる側に位置するかを決定する。それに応じて、該２つのＵＥの間の方位角の算出方法も異なる。
【０１４４】
１つの態様では、該２つのＵＥの準最適ＰＭＩが同一であり、該２つのＵＥがＰＭＩの同一側に位置する場合、ｅＮＢは、下記の式に従ってこの２つのＵＥ間の方位角を算出してもよい。
【数３】
2018525888.tif 000005
【０１４５】
もう１つの態様では、該２つのＵＥの準最適ＰＭＩが異なり、該２つのＵＥがＰＭＩの異なる側に位置する場合、ｅＮＢは、下記の式に従ってこの２つのＵＥ間の方位角を算出してもよい。
【数４】
2018525888.tif 000006
【０１４６】
上記２つの算出式は単なる例示的なものであり、具体的に実施する際に、他の式又は他の方法を用いて該２つのＵＥの間の方位角を算出してもよい。
【０１４７】
ステップ１５０３：ｅＮＢは、θｉ，ｊが第１閾値θｔｈｒｅｓｈｏｌｄよりも大きいか否かを判断する。
【０１４８】
この態様では、判断結果がＹＥＳの場合、ＵＥ＃ｉ及びＵＥ＃ｊがペアリングされてＭＵＳＴ伝送を行うことができないと決定する。
【０１４９】
ステップ１５０４：ｅＮＢは、２つのＵＥのＣＤＩに対応するＣＱＩの差を算出する。
【０１５０】
この態様では、上記情報２）によると、ｅＮＢは、該２つのＵＥのＣＤＩに対応するＣＱＩを取得することで、該２つのＵＥのＣＤＩに対応するＣＱＩの差、即ちΔｉ，ｊ＝｜ＣＱＩｉ，ＣＤＩ−ＣＱＩｊ，ＣＤＩ｜を取得してもよい。
【０１５１】
ステップ１５０５：ｅＮＢは、Δｉ，ｊが第２閾値Δｔｈｒｅｓｈｏｌｄよりも大きいか否かを判断する。
【０１５２】
この態様では、判断結果がＹＥＳの場合、ＵＥ＃ｉ及びＵＥ＃ｊがペアリングされてＭＵＳＴ伝送を行うことができると決定し、そうでない場合、ＵＥ＃ｉ及びＵＥ＃ｊがペアリングされてＭＵＳＴ伝送を行うことができないと決定する。
【０１５３】
この態様のフローによれば、ＵＥはＣＤＩに対応するＣＱＩ、及び準最適ＰＭＩを含むＣＳＩをフィードバックでき、ｅＮＢは、これに基づいてペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１５４】
＜実施例７＞
本発明の実施例は、実施例１に記載されたチャネル状態情報のフィードバック装置を含むユーザ装置をさらに提供する。
【０１５５】
図１６は本発明の実施例のユーザ装置１６００の構成を示す図である。図１６に示すように、ユーザ装置１６００は、中央処理装置１６０１及び記憶装置１６０２を含んでもよく、記憶装置１６０２は中央処理装置１６０１に接続される。なお、該図は単なる例示的なものであり、電気通信機能又は他の機能を実現するように、他の種類の構成を用いて、該構成を補充又は代替してもよい。
【０１５６】
１つの態様では、チャネル状態情報のフィードバック装置の機能は中央処理装置１６０１に統合されてもよい。
【０１５７】
もう１つの態様では、チャネル状態情報のフィードバック装置は中央処理装置１６０１とそれぞれ構成されてもよく、例えばチャネル状態情報のフィードバック装置は中央処理装置１６０１に接続されたチップであり、中央処理装置１６０１の制御によりチャネル状態情報のフィードバック装置の機能を実現してもよい。
【０１５８】
図１６に示すように、ユーザ装置１６００は、通信モジュール１６０３、入力部１６０４、音声処理装置１６０５、ディスプレイ１６０６、及び電源１６０７をさらに含んでもよい。なお、ユーザ装置１６００は図１４に示す全てのユニットを含む必要がない。また、ユーザ装置１６００は、図１６に示されていないユニットをさらに含んでもよく、従来技術を参照してもよい。
【０１５９】
図１６に示すように、中央処理装置１６０１は、コントローラ又は操作制御部とも称され、マイクロプロセッサ又は他の処理装置及び／又は論理装置を含んでもよく、中央処理装置１６０１は入力を受け付け、ユーザ装置１５００の各部の操作を制御する。
【０１６０】
ここで、記憶装置１６０２は、例えばバッファ、フラッシュメモリ、ハードディスク、移動可能な媒体、発揮性メモリ、不発揮性メモリ、又は他の適切な装置の１つ又は複数であってもよい。上記情報、及び関連情報を実行するためのプログラムを記憶してもよい。また、中央処理装置１６０１は、記憶装置１６０２に記憶されたプログラムを実行し、情報の記憶又は処理などを実現してもよい。他の部材は従来技術に類似するため、ここでその説明が省略される。端末装置１６００の各部は、本発明の範囲から逸脱することなく、特定のハードウェア、ファームウェア、ソフトウェア又はその組み合わせによって実現されてもよい。
【０１６１】
本実施例のユーザ装置によれば、上記チャネル状態情報のフィードバック装置がＣＤＩに対応するＣＱＩの指示情報及び方位角基準情報を含むＣＳＩをフィードバックすることで、ｅＮＢは、ペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１６２】
＜実施例８＞
本発明の実施例は、実施例２に記載されたユーザペアリング装置又は実施例３に記載されたデータ伝送装置を含む基地局をさらに提供する。
【０１６３】
図１７は本発明の実施例の基地局の構成を示す図である。図１７に示すように、基地局１７００は、中央処理装置（ＣＰＵ）１７０１及び記憶装置１７０２を含んでもよく、記憶装置１７０２は中央処理装置１７０１に接続される。記憶装置１７０２は、各種のデータを記憶してもよいし、情報処理のプログラムをさらに記憶してもよく、中央処理装置１７０１の制御で該プログラムが実行され、ユーザ装置により送信された各種の情報を受信し、ユーザ装置に各種の情報を送信する。
【０１６４】
１つの態様では、実施例２に記載されたユーザペアリング装置又は実施例３に記載されたデータ伝送装置の機能は中央処理装置１７０１に統合されてもよい。
【０１６５】
もう１つの態様では、実施例２に記載されたユーザペアリング装置又は実施例３に記載されたデータ伝送装置は中央処理装置１７０１とそれぞれ構成されてもよく、例えば実施例２に記載されたユーザペアリング装置又は実施例３に記載されたデータ伝送装置は中央処理装置１７０１に接続されたチップであり、中央処理装置１７０１の制御により実施例２に記載されたユーザペアリング装置又は実施例３に記載されたデータ伝送装置の機能を実現してもよい。
【０１６６】
また、図１７に示すように、基地局１７００は、送受信機１７０３及びアンテナ１７０４等をさらに含んでもよい。ここで、上記部材の機能は従来技術と類似し、ここでその説明を省略する。なお、基地局１７００は図１７に示す全てのユニットを含む必要がない。また、基地局１７００は、図１７に示されていないユニットをさらに含んでもよく、従来技術を参照してもよい。
【０１６７】
本実施例の基地局によれば、ｅＮＢは、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１６８】
＜実施例９＞
本発明の実施例は、実施例７に記載されたユーザ装置及び実施例８に記載された基地局を含む通信システムをさらに提供する。
【０１６９】
図１８は本発明の実施例の通信システムのトポロジを示す図である。図１８に示すように、通信システム１８００は基地局１８０１及びユーザ装置１８０２を含む。ここで、基地局１８０１は実施例８に記載された基地局１７００であってもよく、ユーザ装置１８０２は実施例７に記載されたユーザ装置１６００であってもよい。上記実施例において基地局及びユーザ装置を詳細に説明しているため、その内容をここで援用し、ここでその説明を省略する。
【０１７０】
本実施例の通信システムによれば、ユーザ装置はＣＤＩに対応するＣＱＩの指示情報及び方位角基準情報を含むＣＳＩをフィードバックでき、ｅＮＢは、これに基づいてペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１７１】
本発明の実施例は、情報処理装置又はユーザ装置においてプログラムを実行する際に、コンピュータに、実施例４に記載のチャネル状態情報のフィードバック方法を該情報処理装置又はユーザ装置において実行させる、コンピュータ読み取り可能なプログラムをさらに提供する。
【０１７２】
本発明の実施例は、コンピュータに、実施例４に記載のチャネル状態情報のフィードバック方法を情報処理装置又はユーザ装置において実行させるためのコンピュータ読み取り可能なプログラムを記憶する、記憶媒体をさらに提供する。
【０１７３】
本発明の実施例は、情報処理装置又は基地局においてプログラムを実行する際に、コンピュータに、実施例５に記載のユーザペアリング方法又は実施例６に記載のデータ伝送方法を該情報処理装置又は基地局において実行させる、コンピュータ読み取り可能なプログラムをさらに提供する。
【０１７４】
本発明の実施例は、コンピュータに、実施例５に記載のユーザペアリング方法又は実施例６に記載のデータ伝送方法を情報処理装置又は基地局において実行させるためのコンピュータ読み取り可能なプログラムを記憶する、記憶媒体をさらに提供する。
【０１７５】
本発明の以上の装置及び方法は、ハードウェアにより実現されてもよく、ハードウェアとソフトウェアを結合して実現されてもよい。本発明はコンピュータが読み取り可能なプログラムに関し、該プログラムは論理部により実行される時に、該論理部に上述した装置又は構成要件を実現させる、或いは該論理部に上述した各種の方法又はステップを実現させることができる。論理部は、例えばフィールドプログラマブルロジックデバイス、マイクロプロセッサ、コンピュータに用いられるプロセッサなどである。本発明は上記のプログラムを記憶するための記憶媒体、例えばハードディスク、磁気ディスク、光ディスク、ＤＶＤ、フラッシュメモリ等に関する。
【０１７６】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2018525888.tif 000007
【図２】
2018525888.tif 000008
【図３】
2018525888.tif 000009
【図４】
2018525888.tif 000010
【図５】
2018525888.tif 000011
【図６】
2018525888.tif 000012
【図７】
2018525888.tif 000013
【図８】
2018525888.tif 000014
【図９】
2018525888.tif 000015
【図１０】
2018525888.tif 000016
【図１１】
2018525888.tif 000017
【図１２】
2018525888.tif 000018
【図１３】
2018525888.tif 000019
【図１４】
2018525888.tif 000020
【図１５】
2018525888.tif 000021
【図１６】
2018525888.tif 000022
【図１７】
2018525888.tif 000023
【図１８】
2018525888.tif 000024
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
ユーザ装置に適用される、チャネル状態情報のフィードバック装置であって、
基地局にチャネル状態情報をフィードバックするフィードバック手段を含み、
前記チャネル状態情報は、
プリコーディング行列インデックス（ＰＭＩ）と、
前記ＰＭＩに対応する第１チャネル品質インジケータ（ＣＱＩ１）と、
方位角基準情報と、を含む、装置。
【請求項２】
前記チャネル状態情報は、第２チャネル品質インジケータ（ＣＱＩ２）の指示情報をさらに含み、
前記第２チャネル品質インジケータ（ＣＱＩ２）は、チャネル方向インジケータ（ＣＤＩ）に対応する、請求項１に記載の装置。
【請求項３】
前記第２チャネル品質インジケータ（ＣＱＩ２）の指示情報は、前記第２チャネル品質インジケータ（ＣＱＩ２）、又は前記第２チャネル品質インジケータ（ＣＱＩ２）と前記第１チャネル品質インジケータ（ＣＱＩ１）との差である、請求項２に記載の装置。
【請求項４】
前記方位角基準情報は、前記ＰＭＩに対応する方向と前記ユーザ装置の方向との有向夾角、或いは前記有向夾角の一対一マッピング関数の値、或いは前記ユーザ装置の準最適ＰＭＩである、請求項１に記載の装置。
【請求項５】
基地局に適用される、マルチユーザ重畳伝送（ＭＵＳＴ）におけるユーザペアリング装置であって、
各ユーザ装置によりフィードバックされたチャネル状態情報を受信する受信手段であって、各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、受信手段と、
同一のＰＭＩを有するユーザ装置を同一のグループに分けるように、各ユーザ装置によりフィードバックされたチャネル状態情報におけるプリコーディング行列インデックス（ＰＭＩ）に基づいて全てのユーザ装置をグループ分けするグループ分け手段と、
所定の評価条件に基づいて、同一のグループにおけるユーザ装置のうち任意の２つのユーザ装置がペアリングされてＭＵＳＴ伝送を行うことができるか否かを評価し、ペアリングされてＭＵＳＴ伝送を行うことができるユーザ装置ペアを決定する評価手段と、を含む、装置。
【請求項６】
前記評価条件は、
前記２つのユーザ装置の間の方位角が第１閾値よりも小さく、且つ
前記２つのユーザ装置の第２チャネル品質インジケータ（ＣＱＩ２）の差の絶対値が第２閾値よりも大きいことであり、
前記第２チャネル品質インジケータ（ＣＱＩ２）はチャネル方向インジケータ（ＣＤＩ）に対応する、請求項５に記載の装置。
【請求項７】
前記評価手段は、
前記２つのユーザ装置の前記方位角基準情報に基づいて前記２つのユーザ装置の間の方位角を算出する第１算出モジュールと、
前記２つのユーザ装置の間の方位角が前記第１閾値よりも大きいか否かを判断する第１判断モジュールと、
前記第１判断モジュールの判断結果がＹＥＳの場合、前記２つのユーザ装置がペアリングできないと決定する決定モジュールと、
前記第１判断モジュールの判断結果がＮＯの場合、前記２つのユーザ装置の前記第２チャネル品質インジケータの差を算出する第２算出モジュールと、
前記２つのユーザ装置の前記第２チャネル品質インジケータの差の絶対値が前記第２閾値よりも大きいか否かを判断する第２判断モジュールと、を含み、
前記決定モジュールは、前記第２判断モジュールの判断結果がＹＥＳの場合、前記２つのユーザ装置がペアリングできると決定し、前記第２判断モジュールの判断結果がＮＯの場合、前記２つのユーザ装置がペアリングできないと決定する、請求項６に記載の装置。
【請求項８】
前記方位角基準情報は、前記プリコーディング行列インデックス（ＰＭＩ）に対応する方向とユーザ装置の方向との有向夾角、或いは前記有向夾角の一対一マッピング関数の値であり、
前記第１算出モジュールは、前記２つのユーザ装置の前記方位角基準情報に基づいて前記２つのユーザ装置の前記有向夾角を決定し、前記２つのユーザ装置の前記有向夾角に基づいて前記２つのユーザ装置の間の方位角を算出する、請求項７に記載の装置。
【請求項９】
前記方位角基準情報は、準最適ＰＭＩであり、
前記第１算出モジュールは、前記２つのユーザ装置の準最適ＰＭＩが同一であるか否かに基づいて、前記２つのユーザ装置のＰＭＩに対応する方向とそれぞれの方向との有向夾角の方向を決定し、前記２つのユーザ装置のそれぞれの前記有向夾角の方向に基づいて、前記２つのユーザ装置の第１チャネル品質インジケータと第２チャネル品質インジケータとの差を用いて、前記２つのユーザ装置の間の方位角を算出する、請求項７に記載の装置。
【請求項１０】
前記チャネル状態情報に前記第２チャネル品質インジケータの指示情報が含まれている場合は、前記第２算出モジュールは、前記２つのユーザ装置によりフィードバックされた前記第２チャネル品質インジケータの指示情報に基づいて前記２つのユーザ装置の第２チャネル品質インジケータを決定し、前記２つのユーザ装置の第２チャネル品質インジケータに基づいて前記２つのユーザ装置の第２チャネル品質インジケータの差を算出し、
前記チャネル状態情報に前記第２チャネル品質インジケータの指示情報が含まれていない場合は、前記第２算出モジュールは、前記２つのユーザ装置によりフィードバックされた第１チャネル品質インジケータを前記２つのユーザ装置の第２チャネル品質インジケータとし、前記２つのユーザ装置の第２チャネル品質インジケータに基づいて前記２つのユーザ装置の第２チャネル品質インジケータの差を算出する、請求項７に記載の装置。
【請求項１１】
基地局に適用されるデータ伝送装置であって、
各ユーザ装置によりフィードバックされたチャネル状態情報に基づいて全てのユーザ装置をペアリングし、ＭＵＳＴ伝送を行うことが可能なユーザ装置ペア及びＭＵＳＴ伝送を行うことができないユーザ装置を決定するペアリング手段と、
ＭＵＳＴ伝送を行うことが可能なユーザ装置ペアについて、前記ユーザ装置ペアを構成する２つのユーザ装置によりフィードバックされたチャネル状態情報に基づいて、前記２つのユーザ装置に対してＭＵＳＴ伝送スケジューリングを行う第１スケジューリング手段と、
ＭＵＳＴ伝送を行うことができないユーザ装置について、前記ユーザ装置によりフィードバックされたチャネル状態情報に基づいて、前記ユーザ装置に対して伝送スケジューリングを行う第２スケジューリング手段と、を含み、
各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、装置。
【請求項１２】
前記ペアリング手段は、
各ユーザ装置によりフィードバックされた前記チャネル状態情報（ＣＳＩ）を受信する受信モジュールと、
同一のＰＭＩを有するユーザ装置を同一のグループに分けるように、各ユーザ装置によりフィードバックされたチャネル状態情報（ＣＳＩ）におけるプリコーディング行列インデックス（ＰＭＩ）に基づいて全てのユーザ装置をグループ分けするグループ分けモジュールと、
所定の評価条件に基づいて、同一のグループにおけるユーザ装置のうち任意の２つのユーザ装置がペアリングされてＭＵＳＴ伝送を行うことができるか否かを評価し、ＭＵＳＴ伝送を行うことが可能なユーザ装置ペア及びＭＵＳＴ伝送を行うことができないユーザ装置を決定する評価モジュールと、を含む、請求項１１に記載の装置。
【請求項１３】
前記評価条件は、
前記２つのユーザ装置の間の方位角が第１閾値よりも小さく、且つ
前記２つのユーザ装置の第２チャネル品質インジケータ（ＣＱＩ２）の差の絶対値が第２閾値よりも大きいことであり、
前記第２チャネル品質インジケータ（ＣＱＩ２）はチャネル方向インジケータ（ＣＤＩ）に対応する、請求項１２に記載の装置。
【請求項１４】
前記評価モジュールは、
前記２つのユーザ装置の前記方位角基準情報に基づいて前記２つのユーザ装置の間の方位角を算出する第１算出モジュールと、
前記２つのユーザ装置の間の方位角が前記第１閾値よりも大きいか否かを判断する第１判断モジュールと、
前記第１判断モジュールの判断結果がＹＥＳの場合、前記２つのユーザ装置がペアリングできないと決定する決定モジュールと、
前記第１判断モジュールの判断結果がＮＯの場合、前記２つのユーザ装置の前記第２チャネル品質インジケータの差を算出する第２算出モジュールと、
前記２つのユーザ装置の前記第２チャネル品質インジケータの差の絶対値が前記第２閾値よりも大きいか否かを判断する第２判断モジュールと、を含み、
前記決定モジュールは、前記第２判断モジュールの判断結果がＹＥＳの場合、前記２つのユーザ装置がペアリングできると決定し、前記第２判断モジュールの判断結果がＮＯの場合、前記２つのユーザ装置がペアリングできないと決定する、請求項１３に記載の装置。
【請求項１５】
前記方位角基準情報は、前記ＰＭＩに対応する方向と前記ユーザ装置の方向との有向夾角、或いは前記有向夾角の一対一マッピング関数の値であり、
前記第１算出モジュールは、前記２つのユーザ装置の前記方位角基準情報に基づいて前記２つのユーザ装置の前記有向夾角を決定し、前記２つのユーザ装置の前記有向夾角に基づいて前記２つのユーザ装置の間の方位角を算出する、請求項１４に記載の装置。
【請求項１６】
前記方位角基準情報は、準最適ＰＭＩであり、
前記第１算出モジュールは、前記２つのユーザ装置の準最適ＰＭＩが同一であるか否かに基づいて、前記２つのユーザ装置のＰＭＩに対応する方向とそれぞれの方向との有向夾角の方向を決定し、それぞれの有向夾角の方向に基づいて、前記２つのユーザ装置の第１チャネル品質インジケータと第２チャネル品質インジケータとの差を用いて、前記２つのユーザ装置の間の方位角を算出する、請求項１４に記載の装置。
【請求項１７】
前記チャネル状態情報に前記第２チャネル品質インジケータの指示情報が含まれている場合は、前記第２算出モジュールは、前記２つのユーザ装置によりフィードバックされた前記第２チャネル品質インジケータの指示情報に基づいて前記２つのユーザ装置の第２チャネル品質インジケータを決定し、前記２つのユーザ装置の第２チャネル品質インジケータに基づいて前記２つのユーザ装置の第２チャネル品質インジケータの差を算出し、
前記チャネル状態情報に前記第２チャネル品質インジケータの指示情報が含まれていない場合は、前記第２算出モジュールは、前記２つのユーザ装置によりフィードバックされた第１チャネル品質インジケータを前記２つのユーザ装置の第２チャネル品質インジケータとし、前記２つのユーザ装置の第２チャネル品質インジケータに基づいて前記２つのユーザ装置の第２チャネル品質インジケータの差を算出する、請求項１４に記載の装置。
【請求項１８】
前記第１スケジューリング手段は、前記２つのユーザ装置によりフィードバックされたチャネル状態情報におけるプリコーディング行列インデックス（ＰＭＩ）、第２チャネル品質インジケータ（ＣＱＩ２）、及びＰＭＩに対応する方向と前記ユーザ装置の方向との有向夾角に基づいて、前記２つのユーザ装置のために、電力を割り当て、変調符号化方式を選択し、ビームフォーミングベクトル及びスケジューリングインデックスを算出し、
前記第２スケジューリング手段は、前記ユーザ装置によりフィードバックされたチャネル状態情報におけるプリコーディング行列インデックス（ＰＭＩ）、及び第１チャネル品質インジケータ（ＣＱＩ１）又は第２チャネル品質インジケータ（ＣＱＩ２）に基づいて、前記ユーザ装置のために、変調符号化方式を選択し、ビームフォーミングベクトル及びスケジューリングインデックスを算出する、請求項１５に記載の装置。
【請求項１９】
前記第２スケジューリング手段は、前記ユーザ装置のＰＭＩに対応する方向と前記ユーザ装置の方向との有向夾角に基づいて、前記ユーザ装置のために、変調符号化方式を選択し、ビームフォーミングベクトル及びスケジューリングインデックスを算出する、請求項１８に記載の装置。
【請求項２０】
前記第１スケジューリング手段は、前記２つのユーザ装置によりフィードバックされたチャネル状態情報におけるプリコーディング行列インデックス（ＰＭＩ）、第１チャネル品質インジケータ（ＣＱＩ１）、及び前記２つのユーザ装置の間の方位角に基づいて、前記２つのユーザ装置のために、電力を割り当て、変調符号化方式を選択し、ビームフォーミングベクトル及びスケジューリングインデックスを算出し、
前記第２スケジューリング手段は、前記ユーザ装置によりフィードバックされたチャネル状態情報におけるプリコーディング行列インデックス（ＰＭＩ）、及び第１チャネル品質インジケータ（ＣＱＩ１）に基づいて、前記ユーザ装置のために、変調符号化方式を選択し、ビームフォーミングベクトル及びスケジューリングインデックスを算出する、請求項１６に記載の装置。
【手続補正２】
【補正対象書類名】明細書
【補正対象項目名】全文
【補正方法】変更
【補正の内容】
【発明の詳細な説明】
【技術分野】
【０００１】
本発明は、通信技術の分野に関し、特にチャネル状態情報のフィードバック、ユーザペアリング及びデータ伝送の方法、装置及びシステムに関する。
【背景技術】
【０００２】
近年、社会の発展や技術の進歩に伴って、人々の生活は無線通信技術により大きく変化している。指数的に増大するトラヒック及び次々と出現する新たなサービスをサポートするために、将来の無線通信システムは、より短い時間遅延及びより大きいネットワーク容量を具備するべきである。これは、ＬＴＥ（ｌｏｎｇ  Ｔｅｒｍ  Ｅｖｏｌｕｔｉｏｎ：ロングタームエボリューション)／ＬＴＥ−Ａｄｖａｎｃｅｄ（強化されたＬＴＥ）に代表される既存の第４世代無線通信システムに新たな課題をもたらした。そのため、世界の各大手研究機関や標準化団体は次々に第５世代無線通信システムを研究し始めている。
【０００３】
今まで、全ての無線通信システムは直交多元接続を多元接続技術として採用している。情報の理論から分かるように、非直交多元接続は直交多元接続よりも大きなチャネル容量を有する。従って、非直交多元接続技術は第５世代無線通信システムの研究における注目点となっている。様々な非直交多元接続技術では、最も代表的なものは、電力次元のマルチユーザの多重化、例えば第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）のＬＴＥ−Ａｄｖａｎｃｅｄのリリース１３におけるダウンリンクのマルチユーザ重畳伝送（ＭＵＳＴ：ｍｕｌｔｉｕｓｅｒ  ｓｕｐｅｒｐｏｓｉｔｉｏｎ  ｔｒａｎｓｍｉｓｓｉｏｎ）技術である。
【０００４】
以下は、一般性を失うことなく、２つのユーザ装置（ＵＥ：Ｕｅｓｒ  Ｅｑｕｉｐｍｅｎｔ）を例にしてＭＵＳＴ技術の基本的な原理を説明する。
【０００５】
まず、各ＵＥは、構成された基準信号（例えばＣＲＳ（Ｃｏｍｍｏｎ  Ｒｅｆｅｒｅｎｃｅ  Ｓｉｇｎａｌ：共通基準信号）、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：チャネル状態情報基準信号）等）を測定し、算出されたチャネル状態情報（ＣＳＩ：Ｃｈａｎｎｅｌ  Ｓｔａｔｅ  Ｉｎｆｏｒｍａｔｉｏｎ）、例えばプリコーディング行列インデックス（ＰＭＩ：Ｐｒｅｃｏｄｉｎｇ  Ｍａｔｒｉｘ  Ｉｎｄｉｃａｔｏｒｓ）及びチャネル品質インジケータ（ＣＱＩ：Ｃｈａｎｎｅｌ  Ｑｕａｌｉｔｙ  Ｉｎｄｉｃａｔｏｒ）を基地局（ｅＮＢ）にフィードバックする。そして、ｅＮＢは、各ＵＥによりフィードバックされたチャネル状態情報に基づいて、各ＵＥペアがペアリングされてＭＵＳＴ伝送を行うことができるか否かを評価する。ＭＵＳＴ伝送を行う可能な２つのＵＥは、通常２つの条件を満たす必要があり、１つ目は、２つのＵＥによりフィードバックされたＰＭＩが同一であることあり、２つ目は、２つのＵＥのＣＱＩの差が十分に大きい（所定の閾値よりも大きい）ことである。
【０００６】
ｅＮＢは、データを送信する際に、２つのＵＥのパスロスの差を十分に利用して、２つのＵＥのデータを重畳符号化し、即ち、比較的に遠いＵＥに比較的に大きい電力を割り当て、比較的に近いＵＥに比較的に小さい電力を割り当てる。データを受信する際に、比較的に遠いＵＥは、受けた干渉（即ち比較的に近いＵＥのデータ信号）そのものの送信電力が比較的に小さく、比較的に大きいパスロスによりさらに弱くなるため、自分のデータ信号を直接に検出してもよい。比較的に近いＵＥは、まず高い信号対雑音比を有する比較的に遠いＵＥのデータ信号を検出して、干渉を除去して（受信信号から既に検出された比較的に遠いＵＥのデータ信号を除いて）、自分のデータ信号を検出する必要がある。
【０００７】
コードブックのサイズの制限により、各ＵＥによりフィードバックされたＰＭＩに対応する方向と実際の方向との間に誤差が常に存在する。ここで、実際の方向は、チャネル方向インジケータ（ＣＤＩ：Ｃｈａｎｎｅｌ  Ｄｉｒｅｃｔｉｏｎ  Ｉｎｄｉｃａｔｏｒ）に対応する。同一のＰＭＩを有する２つのＵＥの方向は常に異なる。特にＭＵＳＴ伝送の場合は、２つのＵＥの誤差が累積するため、ＭＵＳＴ伝送を行うための２つのペアリングされたＵＥの間の方位角が大きくなってしまう。図１はペアリングされた２つのＵＥによるＭＵＳＴ送信を示す図である。図１に示すように、ＵＥ１はＭＵＳＴ伝送を行うためのペアリングされたＵＥのうちｅＮＢから比較的に遠いＵＥであり、そのＰＭＩに対応する方向とその方向との有向夾角はθ１であり、ＵＥ２はＭＵＳＴ伝送を行うためのペアリングされたＵＥのうちｅＮＢから比較的に近いＵＥであり、そのＰＭＩに対応する方向とその方向との有向夾角はθ２であり、この２つのペアリングされたＵＥの間の方位角はθ１−θ２であり、ここで、θ１は正のものであり、θ２は負のものであり、或いはθ１は負のものであり、θ２は正のものである。図１から分かるように、２つのＵＥのＰＭＩの定量的誤差の累積により、２つのＵＥの間に比較的に大きい方位角が存在するため、ＭＵＳＴ伝送における少なくとも１つのＵＥのビームフォーミングのゲインが低下し、ＭＵＳＴ伝送の性能が低下してしまう。
【０００８】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００９】
上述したように、従来のチャネル状態情報のフィードバックメカニズムでは、ｅＮＢはＵＥ間の方位角を正確に知ることができない。従って、比較的に大きい方位角を有する２つのＵＥを選択してペアリング及びＭＵＳＴ伝送を行う可能性がある。
【００１０】
比較的に大きい方位角を有するＵＥのペアリングを回避するために、本発明の実施例は、ｅＮＢがＵＥ間の方位角を知ることができ、比較的に大きい方位角を有するＵＥを選択してペアリングを行うことを回避できる、強化されたチャネル状態情報のフィードバックメカニズムを提供する。
【課題を解決するための手段】
【００１１】
本発明の実施例の第１態様では、ユーザ装置に適用される、チャネル状態情報のフィードバック装置であって、基地局にチャネル状態情報をフィードバックするフィードバック手段を含み、前記チャネル状態情報は、プリコーディング行列インデックス（ＰＭＩ）と、前記ＰＭＩに対応する第１チャネル品質インジケータ（ＣＱＩ１）と、方位角基準情報と、を含む、装置を提供する。
【００１２】
本発明の実施例の第２態様では、基地局に適用される、マルチユーザ重畳伝送（ＭＵＳＴ）におけるユーザペアリング装置であって、各ユーザ装置によりフィードバックされたチャネル状態情報を受信する受信手段であって、各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、受信手段と、同一のＰＭＩを有するユーザ装置を同一のグループに分けるように、各ユーザ装置によりフィードバックされたチャネル状態情報におけるプリコーディング行列インデックス（ＰＭＩ）に基づいて全てのユーザ装置をグループ分けするグループ分け手段と、所定の評価条件に基づいて、同一のグループにおけるユーザ装置のうち任意の２つのユーザ装置がペアリングされてＭＵＳＴ伝送を行うことができるか否かを評価し、ペアリングされてＭＵＳＴ伝送を行うことができるユーザ装置ペアを決定する評価手段と、を含む、装置を提供する。
【００１３】
本発明の実施例の第３態様では、基地局に適用されるデータ伝送装置であって、各ユーザ装置によりフィードバックされたチャネル状態情報に基づいて全てのユーザ装置をペアリングし、ＭＵＳＴ伝送を行うことが可能なユーザ装置ペア及びＭＵＳＴ伝送を行うことができないユーザ装置を決定するペアリング手段と、ＭＵＳＴ伝送を行うことが可能なユーザ装置ペアについて、前記ユーザ装置ペアを構成する２つのユーザ装置によりフィードバックされたチャネル状態情報に基づいて、前記２つのユーザ装置に対してＭＵＳＴ伝送スケジューリングを行う第１スケジューリング手段と、ＭＵＳＴ伝送を行うことができないユーザ装置について、前記ユーザ装置によりフィードバックされたチャネル状態情報に基づいて、前記ユーザ装置に対して伝送スケジューリングを行う第２スケジューリング手段と、を含み、各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、装置を提供する。
【００１４】
本発明の実施例の第４態様では、ユーザ装置に適用される、チャネル状態情報のフィードバック方法であって、基地局にチャネル状態情報をフィードバックするステップを含み、前記チャネル状態情報は、プリコーディング行列インデックス（ＰＭＩ）と、前記ＰＭＩに対応する第１チャネル品質インジケータ（ＣＱＩ１）と、方位角基準情報と、を含む、方法を提供する。
【００１５】
本発明の実施例の第５態様では、基地局に適用される、マルチユーザ重畳伝送（ＭＵＳＴ）におけるユーザペアリング方法であって、各ユーザ装置によりフィードバックされたチャネル状態情報を受信するステップであって、各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、ステップと、同一のＰＭＩを有するユーザ装置を同一のグループに分けるように、各ユーザ装置によりフィードバックされたチャネル状態情報におけるプリコーディング行列インデックス（ＰＭＩ）に基づいて全てのユーザ装置をグループ分けするステップと、所定の評価条件に基づいて、同一のグループにおけるユーザ装置のうち任意の２つのユーザ装置がペアリングされてＭＵＳＴ伝送を行うことができるか否かを評価し、ペアリングされてＭＵＳＴ伝送を行うことができるユーザ装置ペアを決定するステップと、を含む、方法を提供する。
【００１６】
本発明の実施例の第６態様では、基地局に適用されるデータ伝送方法であって、各ユーザ装置によりフィードバックされたチャネル状態情報に基づいて全てのユーザ装置をペアリングし、ＭＵＳＴ伝送を行うことが可能なユーザ装置ペア及びＭＵＳＴ伝送を行うことができないユーザ装置を決定するステップと、ＭＵＳＴ伝送を行うことが可能なユーザ装置ペアについて、前記ユーザ装置ペアを構成する２つのユーザ装置によりフィードバックされたチャネル状態情報に基づいて、前記２つのユーザ装置に対してＭＵＳＴ伝送スケジューリングを行うステップと、ＭＵＳＴ伝送を行うことができないユーザ装置について、前記ユーザ装置によりフィードバックされたチャネル状態情報に基づいて、前記ユーザ装置に対して伝送スケジューリングを行うステップと、を含み、各ユーザ装置によりフィードバックされたチャネル状態情報は、プリコーディング行列インデックス（ＰＭＩ）、前記ＰＭＩに対応する第１チャネル品質インジケータ（ＣＱＩ１）、及び方位角基準情報を含み、或いはプリコーディング行列インデックス（ＰＭＩ）、前記ＰＭＩに対応する第１チャネル品質インジケータ（ＣＱＩ１）、第２チャネル品質インジケータ（ＣＱＩ２）の指示情報、及び方位角基準情報を含み、前記第２チャネル品質インジケータ（ＣＱＩ２）はチャネル方向インジケータ（ＣＤＩ）に対応する、方法を提供する。
【００１７】
本発明の実施例の第７態様では、上記第１態様に記載のチャネル状態情報のフィードバック装置を含むユーザ装置を提供する。
【００１８】
本発明の実施例の第８態様では、上記第２態様に記載のユーザペアリング装置又は上記第３態様に記載のデータ伝送装置を含む基地局を提供する。
【００１９】
本発明の実施例の第９態様では、上記第７態様に記載のユーザ装置及び上記第８態様に記載の基地局を含む通信システムを提供する。
【００２０】
本発明の実施例の有益な効果としては、本実施例の新たなＣＳＩのフィードバックメカニズムによれば、ｅＮＢは方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００２１】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２２】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２３】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２４】
ここで含まれる図面は、本発明の実施例を理解させるためのものであり、本明細書の一部を構成し、本発明の実施例を例示するためのものであり、文言の記載と合わせて本発明の原理を説明する。なお、ここに説明される図面は、単なる本発明の実施例を説明するためのものであり、当業者にとって、これらの図面に基づいて他の図面を容易に得ることができる。
【図１】ペアリングされた２つのＵＥによるＭＵＳＴ伝送を示す図である。
【図２】本実施例のチャネル状態情報のフィードバック装置の構成を示す図である。
【図３】本実施例のユーザペアリング装置の構成を示す図である。
【図４】本実施例のユーザペアリング装置における評価部の構成を示す図である。
【図５】本実施例のデータ伝送装置の構成を示す図である。
【図６】本実施例のデータ伝送装置におけるペアリング部の構成を示す図である。
【図７】本実施例のデータ伝送装置におけるペアリング部の評価モジュールの構成を示す図である。
【図８】本実施例のチャネル状態情報のフィードバック方法のフローチャートである。
【図９】本実施例のユーザペアリング方法のフローチャートである。
【図１０】本実施例のユーザペアリング方法におけるペアリング評価のフローチャートである。
【図１１】本実施例のデータ伝送方法のフローチャートである。
【図１２】本実施例の１つの態様の全体的なフローチャートである。
【図１３】図１２におけるペアリング評価のフローチャートである。
【図１４】本実施例のもう１つの態様の全体的なフローチャートである。
【図１５】図１４におけるペアリング評価のフローチャートである。
【図１６】本実施例のユーザ装置の構成を示す図である。
【図１７】本実施例の基地局の構成を示す図である。
【図１８】本実施例の通信システムのトポロジを示す図である。
【発明を実施するための形態】
【００２５】
本発明の上記及びその他の特徴は、図面及び下記の説明により理解できるものである。明細書及び図面では、本発明の特定の実施形態、即ち本発明の原則に従う一部の実施形態を表すものを公開している。なお、本発明は説明される実施形態に限定されず、本発明は、特許請求の範囲内の全ての修正、変形されたもの、及び均等なものを含む。以下は、図面を参照しながら本発明の各実施形態を説明する。これらの実施形態は単なる例示的なものであり、本発明を限定するものではない。
【００２６】
＜実施例１＞
本発明の実施例は、チャネル状態情報のフィードバック装置を提供し、該装置はユーザ装置（ＵＥ）に適用される。図２は該装置の構成を示す図であり、図２に示すように、チャネル状態情報のフィードバック装置２００はフィードバック部２０１を含む。
【００２７】
フィードバック部２０１は、基地局にチャネル状態情報（ＣＳＩ）をフィードバックする。ここで、該チャネル状態情報（ＣＳＩ）は、プリコーディング行列インデックス（ＰＭＩ）と、該プリコーディング行列インデックス（ＰＭＩ）に対応する第１チャネル品質インジケータ（ＣＱＩ１）と、方位角基準情報とを含む。
【００２８】
本実施例では、従来技術と異なり、ＵＥは、ｅＮＢにＣＳＩをフィードバックする際に、ＰＭＩ及び該ＰＭＩに対応するＣＱＩ（ＣＱＩ１）をフィードバックすることに加えて、ｅＮＢに方位角基準情報をさらにフィードバックする。これによって、ｅＮＢは、各ＵＥによりフィードバックされた方位角基準情報、及び各ＵＥのＣＤＩに対応するＣＱＩ（本実施例では第２チャネル品質インジケータ（ＣＱＩ２）を称され、該第２チャネル品質インジケータは、ＵＥにより第２チャネル品質インジケータ（ＣＱＩ２）の指示情報を介してフィードバックされてもよいし、各ＵＥによりフィードバックされたＣＱＩ１に基づいてｅＮＢにより決定されてもよい）に基づいて、各ＵＥがペアリングされてＭＵＳＴ伝送を行うことができるか否かを評価し、ペアリングされてＭＵＳＴ伝送を行うことができるＵＥｓを決定してもよい。これによって、ｅＮＢは方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００２９】
本実施例では、上述したように、方位角基準情報をフィードバックすることに加えて、該ＵＥは、第２チャネル品質インジケータ（ＣＱＩ２）の指示情報をさらにフィードバックしてもよく、第２チャネル品質インジケータ（ＣＱＩ２）は、チャネル方向インジケータ（ＣＤＩ）に対応する。これによって、ｅＮＢは、該第２チャネル品質インジケータ（ＣＱＩ２）及び上記方位角基準情報を参考して、各ＵＥがペアリングされてＭＵＳＴ伝送を行うことができるか否かを評価でき、ペアリングされてＭＵＳＴ伝送を行うことが可能なＵＥｓを決定できる。
【００３０】
本実施例では、ＵＥが上記第２チャネル品質インジケータ（ＣＱＩ２）の指示情報をフィードバックしていない場合、ｅＮＢは、該ＵＥによりフィードバックされたＣＱＩ１を該ＵＥのＣＱＩ２として上記の評価を行う。具体的な内容は、以下の実施例で説明される。
【００３１】
本実施例では、該第２チャネル品質インジケータ（ＣＱＩ２）の指示情報は、該第２チャネル品質インジケータ自体、即ちＣＱＩ２であってもよいし、該第２チャネル品質インジケータ（ＣＱＩ２）と該第１チャネル品質インジケータ（ＣＱＩ１）との差、即ちＣＱＩ２−ＣＱＩ１であってもよく、このようにして、同様にＣＤＩに対応するＣＱＩ２をフィードバックするように機能することができる。ＣＤＩに対応する該ＣＱＩ２をフィードバックすることで、ｅＮＢはユーザのペアリングを評価できる。具体的な内容は以下の実施例で説明される。
【００３２】
本実施例の１つの態様では、方位角基準情報は、該ＰＭＩに対応する方向とユーザ装置の方向との有向夾角（図１に示すθ１、θ２）、或いは該有向夾角の一対一マッピング関数の値、例えば正弦関数、正接関数などである。これによって、同様に該有向夾角をフィードバックするように機能することができる。該有向夾角をフィードバックすることで、ｅＮＢは、これに基づいて、ペアリングの評価を行うための２つのＵＥ間の方位角を算出でき、ユーザのペアリングを評価できる。具体的な内容は以下の実施例で説明される。
【００３３】
本実施例のもう１つの態様では、方位角基準情報は、該ユーザ装置の準最適ＰＭＩである。該準最適ＰＭＩをフィードバックすることで、ｅＮＢは、ＵＥによりフィードバックされたＰＭＩに対応する方向と該ＵＥの方向との有向夾角の方向を決定でき、ＵＥによりフィードバックされたＰＭＩ及びＣＤＩにそれぞれ対応する２つのＣＱＩの差に基づいて該有向夾角の幅の大きさを決定できる。これによって、ペアリングの評価を行うための２つのＵＥ間の方位角を算出でき、ユーザのペアリングを評価できる。具体的な内容は以下の実施例で説明される。
【００３４】
本実施例のチャネル状態情報のフィードバック装置によれば、ＵＥは該ＣＳＩをフィードバックでき、ｅＮＢは、ペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００３５】
＜実施例２＞
本発明の実施例はマルチユーザ重畳伝送（ＭＵＳＴ）におけるユーザペアリング装置を提供し、該装置は基地局（ｅＮＢ）に適用される。図３は該装置の構成を示す図であり、図３に示すように、ユーザペアリング装置３００は、受信部３０１、グループ分け部３０２及び評価部３０３を含む。
【００３６】
本実施例では、受信部３０１は、各ユーザ装置によりフィードバックされたチャネル状態情報（ＣＳＩ）を受信する。ここで、各ユーザ装置によりフィードバックされたチャネル状態情報は、実施例１に説明されたように、その内容はここで援用し、重複する説明が省略される。
【００３７】
本実施例では、グループ分け部３０２は、各ユーザ装置によりフィードバックされたＣＳＩにおけるＰＭＩに基づいて全てのユーザ装置をグループ分け、例えば同一のＰＭＩを有するユーザ装置を同一のグループに分ける。ここで、同一のＰＭＩを有するユーザ装置だけはペアリングされてＭＵＳＴ伝送を行うことができるため、ｅＮＢは同一のＰＭＩを有するＵＥを同一のグループに分ける。
【００３８】
本実施例では、評価部３０３は、所定の評価条件に基づいて、同一のグループにおけるユーザ装置のうち任意の２つのユーザ装置がペアリングされてＭＵＳＴ伝送を行うことができるか否かを評価し、ペアリングされてＭＵＳＴ伝送を行うことができるユーザ装置ペアを決定する。
【００３９】
本実施例では、評価条件は、該２つのユーザ装置の間の方位角が第１閾値よりも小さく、且つ該２つのユーザ装置の第２チャネル品質インジケータ（ＣＱＩ２）の差の絶対値が第２閾値よりも大きいことであってもよい。ここで、第２チャネル品質インジケータ（ＣＱＩ２）はチャネル方向インジケータ（ＣＤＩ）に対応する。
【００４０】
本実施例では、評価部３０３は、所定の評価条件に基づいて同一のグループにおけるユーザ装置のうち任意の２つのユーザ装置がペアリングされてＭＵＳＴ伝送を行うことができるか否かを評価する際に、まずこの２つのＵＥの方位角基準情報に基づいてこの２つのＵＥ間の方位角を算出し、そして、該評価条件に基づいて、この２つのＵＥがペアリングされてＭＵＳＴ伝送を行うことができるか否かを評価する。
【００４１】
図４は評価部３０３の１つの態様の構成を示す図である。図４に示すように、この態様では、評価部３０３は、第１算出モジュール４０１、第１判断モジュール４０２、決定モジュール４０３、第２算出モジュール４０４及び第２判断モジュール４０５を含む。
【００４２】
この態様では、第１算出モジュール４０１は、該２つのユーザ装置の方位角基準情報に基づいて該２つのユーザ装置の間の方位角を算出する。
【００４３】
ここで、異なる方位角基準情報に応じて、第１算出モジュール４０１による２つのユーザ装置の間の方位角の算出方法も異なる。
【００４４】
１つの態様では、方位角基準情報は、該ＰＭＩに対応する方向とＵＥの方向との有向夾角、或いは該有向夾角の一対一マッピング関数の値である。この態様では、第１算出モジュール４０１は、該方位角基準情報に基づいて該ＵＥの該有向夾角を決定し、この２つのユーザ装置の該有向夾角に基づいてこの２つのユーザ装置の間の方位角を算出してもよい。ここで、方位角基準情報が該ＰＭＩに対応する方向とＵＥの方向との有向夾角であり、図１に示すように、ＵＥ１がθ１を報告し、ＵＥ２がθ２を報告する場合、第１算出モジュール４０１は、該方位角基準情報に基づいて該有向夾角を直接決定してもよく、該方位角基準情報が該有向夾角の一対一マッピング関数の値である場合、第１算出モジュール４０１は、該関数の値に基づいて該有向夾角を決定してもよい。ＰＭＩに対応する方向とこの２つのＵＥの方向との有向夾角があれば、ｅＮＢはこの２つのＵＥ間の方位角を取得できる。ここで、この２つの有向夾角のうち１つが正のものであり、もう１つが負のものであるため、ｅＮＢは、この２つの夾角を減算し、この２つのＵＥ間の方位角θ１，２＝｜θ１−θ２｜を取得してもよい。
【００４５】
もう１つの態様では、方位角基準情報は準最適ＰＭＩであり、この態様では、第１算出モジュール４０１は、まずこの２つのＵＥの準最適ＰＭＩが同一であるか否かに基づいて、この２つのＵＥのＰＭＩに対応する方向とそれぞれの方向との有向夾角の方向を決定し、そして、それぞれの該有向夾角の方向に基づいて、この２つのＵＥの第１チャネル品質インジケータと第２チャネル品質インジケータとの差を用いて、この２つのＵＥの間の方位角を算出してもよい。ここで、もしこの２つのＵＥの準最適ＰＭＩが同一であると、この２つのＵＥがその報告されたＰＭＩに対応する方向の同一側に位置することを意味する。一方、もしこの２つのＵＥの準最適ＰＭＩが異なると、この２つのＵＥがその報告されたＰＭＩに対応する方向の異なる側に位置することを意味する。２つのＵＥの有向夾角の方向を取得した後に、ｅＮＢは、第１算出モジュール４０１により、ＵＥによりフィードバックされたＰＭＩ及びＣＤＩにそれぞれ対応する２つのＣＱＩの差に基づいてＵＥの方向とＰＭＩに対応する方向との夾角の幅の大きさ、即ちこの２つのＵＥ間の方位角を算出できる。
【００４６】
例えば、この２つのＵＥがＰＭＩの同一側に位置する場合、ｅＮＢは、下記の式（１）に従ってこの２つのＵＥ間の方位角を算出してもよく、この２つのＵＥがＰＭＩの異なる側に位置する場合、ｅＮＢは、下記の式（２）に従ってこの２つのＵＥ間の方位角を算出してもよい。
【数１】
2018525888.tif 000025
【数２】
2018525888.tif 000026
【００４７】
ここで、θｉ，ｊはＵＥｉとＵＥｊとの間の方位角であり、ＣＱＩｉ，ＰＭＩはＵＥｉのＰＭＩに対応するＣＱＩであり、ＣＱＩｉ，ＣＤＩはＵＥｉのＣＤＩに対応するＣＱＩであり、ＣＱＩｊ，ＰＭＩはＵＥｊのＰＭＩに対応するＣＱＩであり、ＣＱＩｊ，ＣＤＩはＵＥｊのＣＤＩに対応するＣＱＩである。
【００４８】
本実施例では、第１判断モジュール４０２は、該２つのユーザ装置の間の方位角が前記第１閾値よりも大きいか否かを判断する。本実施例では、第１閾値を予め設定して、ＭＵＳＴ伝送を行うための２つのユーザ装置の間の方位角を制限する。２つのユーザ装置の間の方位角が該第１閾値よりも大きい場合、この２つのユーザ装置がＭＵＳＴ伝送に適しないことを意味し、ｅＮＢはこの２つのユーザ装置を、ＭＵＳＴ伝送を行うためのユーザペアとしない。
【００４９】
本実施例では、決定モジュール４０３は、第１判断モジュール４０２の判断結果がＹＥＳの場合、該２つのユーザ装置がペアリングできないと決定する。即ち、第１判断モジュールの判断結果がＹＥＳの場合、この２つのユーザ装置の間の方位角が該第１閾値よりも大きいことを意味し、上述したように、この２つのユーザ装置がＭＵＳＴ伝送に適しない。
【００５０】
第２算出モジュール４０４は、第１判断モジュール４０２の判断結果がＮＯの場合、該２つのユーザ装置の該第２チャネル品質インジケータの差を算出する。
【００５１】
本実施例の１つの態様では、第２チャネル品質インジケータは、受信されたＣＳＩにおける第２チャネル品質インジケータの指示情報を介して取得されてもよい。即ち、上述したように、該チャネル状態情報に第２チャネル品質インジケータの指示情報が含まれている場合は、第２算出モジュール４０４は、該２つのユーザ装置によりフィードバックされた第２チャネル品質インジケータの指示情報に基づいて該２つのユーザ装置の第２チャネル品質インジケータを決定し、該２つのユーザ装置の第２チャネル品質インジケータに基づいて該２つのユーザ装置の第２チャネル品質インジケータの差を算出する。
【００５２】
本実施例のもう１つの態様では、第２チャネル品質インジケータはｅＮＢにより指定されてもよい。即ち、該チャネル状態情報に前記第２チャネル品質インジケータの指示情報が含まれていない場合は、第２算出モジュール４０４は、該２つのユーザ装置によりフィードバックされた第１チャネル品質インジケータを該２つのユーザ装置の第２チャネル品質インジケータとし、該２つのユーザ装置の第２チャネル品質インジケータに基づいて該２つのユーザ装置の第２チャネル品質インジケータの差を算出する。
【００５３】
本実施例では、第２判断モジュール４０５は、該２つのユーザ装置の第２チャネル品質インジケータの差の絶対値が第２閾値よりも大きいか否かを判断する。本実施例では、第１判断モジュール４０２の判断結果がＮＯの場合、この２つのユーザ装置の間の方位角が許容範囲内にあることを意味するが、必ずしもこの２つのユーザ装置がペアリングされてＭＵＳＴ伝送を行うことができると決定しない。本実施例では、もう１つの閾値（本実施例では第２閾値と称される）を用いて、該２つのユーザ装置がペアリングされてＭＵＳＴ伝送を行うことができるか否かを制限する。例えば、この２つのユーザ装置の第２チャネル品質インジケータの差の絶対値が該第２閾値よりも大きい場合、この２つのユーザ装置の実際のチャネル品質の差が比較的に大きく、ペアリング及びＭＵＳＴ伝送に適すると判断する。一方、この２つのユーザ装置の第２チャネル品質インジケータの差の絶対値が該第２閾値以下である場合、この２つのユーザ装置の実際のチャネル品質の差が比較的に小さく、ペアリング及びＭＵＳＴ伝送に適しないと判断する。
【００５４】
本実施例では、決定モジュール４０３は、第２判断モジュール４０５の判断結果がＹＥＳの場合、該２つのユーザ装置がペアリングされてＭＵＳＴ伝送を行うことができると決定し、第２判断モジュール４０５の判断結果がＮＯの場合、該２つのユーザ装置がペアリングされてＭＵＳＴ伝送を行うことができないと決定する。
【００５５】
本実施例のユーザペアリング装置によれば、ｅＮＢは各ＵＥによりフィードバックされたチャネル状態情報に基づいて全てのＵＥをグループ分け、同一のＰＭＩを有するＵＥを同一のグループに分け、各グループの可能なＵＥについてペアリングされてＭＵＳＴ伝送を行うことができるか否かを評価する。これによって、ｅＮＢは、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００５６】
＜実施例３＞
本発明の実施例はデータ伝送装置を提供し、該装置は基地局（ｅＮＢ）に適用される。図５は該装置の構成を示す図であり、図５に示すように、データ伝送装置５００は、ペアリング部５０１、第１スケジューリング部５０２及び第２スケジューリング部５０３を含む。
【００５７】
本実施例では、ペアリング部５０１は、各ユーザ装置によりフィードバックされたチャネル状態情報に基づいて全てのユーザ装置をペアリングし、ＭＵＳＴ伝送を行うことが可能なユーザ装置ペア及びＭＵＳＴ伝送を行うことができないユーザ装置を決定する。本実施例の１つの態様では、ペアリング部５０１は、実施例２におけるユーザペアリング装置３００により実現されてもよい。図６はペアリング部５０１の構成を示す図であり、図６に示すように、ペアリング部５０１は、受信モジュール６０１、グループ分けモジュール６０２及び評価モジュール６０３を含む。ここで、受信モジュール６０１は実施例２におけるユーザペアリング装置の受信部３０１により実現されてもよく、グループ分けモジュール６０２は実施例２におけるユーザペアリング装置のグループ分け部３０２により実現されてもよく、評価モジュール６０３は実施例２におけるユーザペアリング装置の評価部３０３により実現されてもよく、実施例２の受信部３０１、グループ分け部３０２及び評価部３０３の内容をここで援用し、重複する説明が省略される。図７は本実施例の評価モジュール６０３の構成を示す図であり、図７に示すように、評価モジュール６０３は、第１算出モジュール７０１、第１判断モジュール７０２、決定モジュール７０３、第２算出モジュール７０４及び第２判断モジュール７０５を含む。ここで、第１算出モジュール７０１、第１判断モジュール７０２、決定モジュール７０３、第２算出モジュール７０４及び第２判断モジュール７０５は実施例２における第１算出モジュール４０１、第１判断モジュール４０２、決定モジュール４０３、第２算出モジュール４０４及び第２判断モジュール４０５により実現されてもよく、実施例２の上記内容をここで援用し、重複する説明が省略される。
【００５８】
本実施例では、第１スケジューリング部５０２は、ＭＵＳＴ伝送を行うことが可能なユーザ装置ペアについて、該ユーザ装置ペアを構成する２つのユーザ装置によりフィードバックされたチャネル状態情報に基づいて、該２つのユーザ装置に対してＭＵＳＴ伝送スケジューリングを行う。
【００５９】
本実施例では、第２スケジューリング部５０３は、ＭＵＳＴ伝送を行うことができないユーザ装置について、該ユーザ装置によりフィードバックされたチャネル状態情報に基づいて、該ユーザ装置に対して伝送スケジューリングを行う。
【００６０】
本実施例の１つの態様では、上述したように、ＵＥによりフィードバックされたＣＳＩは、ＰＭＩ、該ＰＭＩに対応するＣＱＩ（ＣＱＩ１）、及び方位角基準情報、例えば該ＰＭＩに対応する方向と該ＵＥの方向との夾角、或いは該夾角の一対一マッピング関数の値、或いは該ＵＥの準最適ＰＭＩを含む。
【００６１】
本実施例のもう１つの態様では、上述したように、ＵＥによりフィードバックされたＣＳＩは、ＰＭＩ、該ＰＭＩに対応するＣＱＩ（ＣＱＩ１）、ＣＤＩに対応するＣＱＩ（ＣＱＩ２）の指示情報、例えば該ＣＱＩ２自体又は該ＣＱＩ２と該ＣＱＩ１との差、及び方位角基準情報、例えば該ＰＭＩに対応する方向と該ＵＥの方向との夾角、或いは該夾角の一対一マッピング関数の値、或いは該ＵＥの準最適ＰＭＩを含む。
【００６２】
本実施例の１つの態様では、ＵＥによりフィードバックされた方位角基準情報が該ＰＭＩに対応する方向と方向との有向夾角、或いは該有向夾角の一対一マッピング関数の値である場合、第１スケジューリング部５０２は、ペアリングされたＭＵＳＴ伝送を行うことが可能なユーザ装置ペアの２つのユーザ装置によりフィードバックされたＰＭＩ、ＣＱＩ２（オプション）、及びＰＭＩに対応する方向と該２つのユーザ装置の方向との夾角に基づいて、該２つのユーザ装置のために、電力を割り当て、変調符号化方式を選択し、ビームフォーミングベクトル及びスケジューリングインデックス等を算出してもよい。このように、該２つのユーザ装置がデータ伝送を行うようにスケジューリングする。ここで、ＣＱＩ２は該ＣＱＩ２の指示情報を介して取得されてもよく、該ＰＭＩに対応する方向と該２つのユーザ装置の方向との夾角は該方位角基準情報を介して取得されてもよい。
【００６３】
この態様では、第２スケジューリング部５０３は、ペアリングされてＭＵＳＴ伝送を行うことができないユーザ装置によりフィードバックされたＰＭＩ、及びＣＱＩ１又はＣＱＩ２（オプション）に基づいて、該ユーザ装置のために、変調符号化方式を選択し、ビームフォーミングベクトル及びスケジューリングインデックスを算出してもよい。このように、該ユーザ装置がデータ伝送を行うようにスケジューリングする。好ましくは、第２スケジューリング部５０３は、該ＰＭＩに対応する方向と該ユーザ装置の方向との夾角に基づいて該ユーザ装置をスケジューリングしてもよい。ここで、ＣＱＩ２は該ＣＱＩ２の指示情報を介して取得されてもよく、該ＰＭＩに対応する方向と該ユーザ装置の方向との夾角は該方位角基準情報を介して取得されてもよい。
【００６４】
本実施例のもう１つの態様では、ＵＥによりフィードバックされた方位角基準情報が準最適ＰＭＩである場合、第１スケジューリング部５０２は、ペアリングされてＭＵＳＴ伝送を行うことが可能なユーザ装置ペアの２つのユーザ装置によりフィードバックされたＰＭＩ、ＣＱＩ１、及び該２つのユーザ装置の間の方位角に基づいて、該２つのユーザ装置のために、電力を割り当て、変調符号化方式を選択し、ビームフォーミングベクトル及びスケジューリングインデックス等を算出してもよい。このように、該２つのユーザ装置がデータ伝送を行うようにスケジューリングする。ここで、該２つのユーザ装置の間の方位角は該第１算出モジュール７０１により算出されてもよい。
【００６５】
この態様では、第２スケジューリング部５０３は、ペアリングされてＭＵＳＴ伝送を行うことができないユーザ装置によりフィードバックされたＰＭＩ及びＣＱＩ１に基づいて、該ユーザ装置のために、変調符号化方式を選択し、ビームフォーミングベクトル及びスケジューリングインデックスを算出してもよい。このように、該ユーザ装置がデータ伝送を行うようにスケジューリングする。
【００６６】
本実施例では、各スケジューリングリソースユニット（例えばサブバンド）について、ｅＮＢは、第１スケジューリング部５０２及び第２スケジューリング部５０３を介して、全ての候補ＵＥペア（ＭＵＳＴ伝送）及び単独ＵＥ（直交伝送）の利用可能なスケジューリングインデックス（例えばスループット、ＰＦ因子（ｐｒｏｐｏｒｔｉｏｎ  ｆａｉｒｎｅｓｓｆａｃｔｏｒ）等）をそれぞれ算出し、これに基づいてスケジューリングリソースユニットを割り当てる。
【００６７】
本実施例のデータ伝送装置によれば、ｅＮＢは、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００６８】
＜実施例４＞
本発明の実施例はチャネル状態情報のフィードバック方法を提供し、該方法はユーザ装置（ＵＥ）に適用される。該方法の課題解決の原理は、実施例１の装置と類似するため、その具体的な実施は実施例１の装置の実施を参照してもよく、同様な内容について説明が省略される。
【００６９】
図８は該方法のフローチャートであり、図８に示すように、該方法は以下のステップを含む。
【００７０】
ステップ８０１：ユーザ装置は基地局にチャネル状態情報をフィードバックする。ここで、該チャネル状態情報は、プリコーディング行列インデックス（ＰＭＩ）と、該プリコーディング行列インデックス（ＰＭＩ）に対応する第１チャネル品質インジケータ（ＣＱＩ１）と、方位角基準情報とを含む。
【００７１】
本実施例では、該チャネル状態情報は、第２チャネル品質インジケータ（ＣＱＩ２）の指示情報をさらに含んでもよく、第２チャネル品質インジケータ（ＣＱＩ２）は、チャネル方向インジケータ（ＣＤＩ）に対応する。
【００７２】
本実施例では、該第２チャネル品質インジケータ（ＣＱＩ２）の指示情報は、該第２チャネル品質インジケータ（ＣＱＩ２）であってもよいし、該第２チャネル品質インジケータ（ＣＱＩ２）と該第１チャネル品質インジケータ（ＣＱＩ１）との差であってもよい。
【００７３】
本実施例では、該方位角基準情報は、該ＰＭＩに対応する方向とユーザ装置の方向との有向夾角、或いは該有向夾角の一対一マッピング関数の値、或いは該ユーザ装置の準最適ＰＭＩであってもよい。
【００７４】
本実施例のチャネル状態情報のフィードバック方法によれば、ＵＥは該ＣＳＩをフィードバックでき、ｅＮＢは、ペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００７５】
＜実施例５＞
本発明の実施例はマルチユーザ重畳伝送（ＭＵＳＴ）におけるユーザペアリング方法をさらに提供し、該方法はｅＮＢに適用される。該方法の課題解決の原理は、実施例２の装置と類似するため、その具体的な実施は実施例２の装置の実施を参照してもよく、同様な内容について説明が省略される。
【００７６】
図９は該方法のフローチャートであり、図９に示すように、該方法は以下のステップを含む。
【００７７】
ステップ９０１：基地局は各ユーザ装置によりフィードバックされたチャネル状態情報を受信する。ここで、各ユーザ装置によりフィードバックされたチャネル状態情報は、プリコーディング行列インデックス（ＰＭＩ）、該ＰＭＩに対応する第１チャネル品質インジケータ（ＣＱＩ１）、及び方位角基準情報を含み、或いはプリコーディング行列インデックス（ＰＭＩ）、該ＰＭＩに対応する第１チャネル品質インジケータ（ＣＱＩ１）、第２チャネル品質インジケータ（ＣＱＩ２）の指示情報、及び方位角基準情報を含む。ここで、該第２チャネル品質インジケータ（ＣＱＩ２）はチャネル方向インジケータ（ＣＤＩ）に対応する。
【００７８】
ステップ９０２：該基地局は、同一のＰＭＩを有するユーザ装置を同一のグループに分けるように、各ユーザ装置によりフィードバックされた該チャネル状態情報におけるプリコーディング行列インデックス（ＰＭＩ）に基づいて全てのユーザ装置をグループ分けする。
【００７９】
ステップ９０３：該基地局は、所定の評価条件に基づいて、同一のグループにおけるユーザ装置のうち任意の２つのユーザ装置がペアリングされてＭＵＳＴ伝送を行うことができるか否かを評価し、ＭＵＳＴ伝送を行うことができるユーザ装置ペアを決定する。
【００８０】
本実施例では、上述したように、第２チャネル品質インジケータ（ＣＱＩ２）の指示情報は、該第２チャネル品質インジケータ（ＣＱＩ２）であってもよいし、該第２チャネル品質インジケータ（ＣＱＩ２）と該第１チャネル品質インジケータ（ＣＱＩ１）との差であってもよい。方位角基準情報は、該ＰＭＩに対応する方向と該ユーザ装置の方向との有向夾角であってもよいし、該有向夾角の一対一マッピング関数の値であってもよいし、該ユーザ装置の準最適ＰＭＩであってもよい。
【００８１】
本実施例では、該評価条件は、該２つのユーザ装置の間の方位角が第１閾値よりも小さく、且つ該２つのユーザ装置の第２チャネル品質インジケータ（ＣＱＩ２）の差の絶対値が第２閾値よりも大きいことであってもよく、該評価条件を満たす２つのＵＥは、ペアリングされてＭＵＳＴ伝送を行うことができる。ここで、該第２チャネル品質インジケータ（ＣＱＩ２）はチャネル方向インジケータ（ＣＤＩ）に対応する。
【００８２】
本実施例では、ステップ９０３は図１０の方法により実現されてもよい。図１０に示すように、該方法は以下のステップを含む。
【００８３】
ステップ１００１：該基地局は該２つのユーザ装置の該方位角基準情報に基づいて該２つのユーザ装置の間の方位角を算出する。
【００８４】
ステップ１００２：該基地局は、該２つのユーザ装置の間の方位角が第１閾値よりも大きいか否かを判断し、ＹＥＳの場合、該２つのユーザ装置がペアリングできないと決定し、そうでない場合、ステップ１００３を実行する。
【００８５】
ステップ１００３：該２つのユーザ装置の該第２チャネル品質インジケータの差を算出する。
【００８６】
ステップ１００４：該基地局は、該２つのユーザ装置の該第２チャネル品質インジケータの差の絶対値が第２閾値よりも大きいか否かを判断し、ＹＥＳの場合、該２つのユーザ装置がペアリングできると決定し、そうでない場合、該２つのユーザ装置がペアリングできないと決定する。
【００８７】
本実施例では、該方位角基準情報が該プリコーディング行列インデックス（ＰＭＩ）に対応する方向と該ユーザ装置の方向との有向夾角、或いは該有向夾角の一対一マッピング関数の値である場合、該基地局は、該２つのユーザ装置の前記方位角基準情報に基づいて該２つのユーザ装置の該有向夾角を決定し、該２つのユーザ装置の該有向夾角に基づいて該２つのユーザ装置の間の方位角を算出してもよい。具体的な算出方法は上記のものであり、ここでその説明が省略される。
【００８８】
本実施例では、該方位角基準情報は準最適ＰＭＩである場合、該基地局は、該２つのユーザ装置の準最適ＰＭＩが同一であるか否かに基づいて、該２つのユーザ装置のＰＭＩに対応する方向とそれぞれの方向との有向夾角の方向を決定し、該２つのユーザ装置のそれぞれの該有向夾角の方向に基づいて、該２つのユーザ装置によりフィードバックされたＰＭＩ及びＣＤＩにそれぞれ対応する２つのＣＱＩ（第１チャネル品質インジケータと第２チャネル品質インジケータ）との差を用いて、該２つのユーザ装置の間の方位角を算出してもよい。具体的な算出方法は上記のものであり、ここでその説明が省略される。
【００８９】
本実施例のユーザペアリング方法によれば、ｅＮＢは各ＵＥによりフィードバックされたチャネル状態情報に基づいて全てのＵＥをグループ分け、同一のＰＭＩを有するＵＥを同一のグループに分け、各グループの可能なＵＥについてペアリングされてＭＵＳＴ伝送を行うことができるか否かを評価する。これによって、ｅＮＢは、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【００９０】
＜実施例６＞
本発明の実施例はデータ伝送方法をさらに提供し、該方法はｅＮＢに適用される。該方法の課題解決の原理は、実施例３の装置と類似するため、その具体的な実施は実施例３の装置の実施を参照してもよく、同様な内容について説明が省略される。
【００９１】
図１１は該方法のフローチャートであり、図１１に示すように、該方法は以下のステップを含む。
【００９２】
ステップ１１０１：基地局は、各ユーザ装置によりフィードバックされたチャネル状態情報に基づいて全てのユーザ装置をペアリングし、ＭＵＳＴ伝送を行うことが可能なユーザ装置ペア及びＭＵＳＴ伝送を行うことができないユーザ装置を決定する。
【００９３】
ステップ１１０２：該基地局は、ＭＵＳＴ伝送を行うことが可能なユーザ装置ペアについて、該ユーザ装置ペアを構成する２つのユーザ装置によりフィードバックされたチャネル状態情報に基づいて、該２つのユーザ装置に対してＭＵＳＴ伝送スケジューリングを行い、ＭＵＳＴ伝送を行うことができないユーザ装置について、該ユーザ装置によりフィードバックされたチャネル状態情報に基づいて、該ユーザ装置に対して伝送スケジューリングを行う。
【００９４】
本実施例の１つの態様では、上述したように、各ユーザ装置によりフィードバックされたチャネル状態情報は、プリコーディング行列インデックス（ＰＭＩ）、該ＰＭＩに対応する第１チャネル品質インジケータ（ＣＱＩ１）、及び方位角基準情報を含んでもよい。
【００９５】
本実施例のもう１つの態様では、上述したように、各ユーザ装置によりフィードバックされたチャネル状態情報は、プリコーディング行列インデックス（ＰＭＩ）、該ＰＭＩに対応する第１チャネル品質インジケータ（ＣＱＩ１）、第２チャネル品質インジケータ（ＣＱＩ２）の指示情報、及び方位角基準情報を含んでもよく、該第２チャネル品質インジケータ（ＣＱＩ２）はチャネル方向インジケータ（ＣＤＩ）に対応する。
【００９６】
本実施例では、ステップ１１０１は実施例５の方法により実現されてもよく、ここでその内容を援用し、その説明を省略する。
【００９７】
本実施例の１つの態様では、ステップ１１０２において、ＭＵＳＴ伝送を行うことが可能なユーザ装置ペアについて、ｅＮＢは、該２つのユーザ装置によりフィードバックされたプリコーディング行列インデックス（ＰＭＩ）、第２チャネル品質インジケータ（ＣＱＩ２）（オプション）、及びＰＭＩに対応する方向と該２つのユーザ装置の方向との夾角に基づいて、該２つのユーザ装置のために、電力を割り当て、変調符号化方式を選択し、ビームフォーミングベクトル及びスケジューリングインデックスを算出してもよい。ここで、第２チャネル品質インジケータ（ＣＱＩ２）はユーザ装置によりフィードバックされたＣＳＩの第２チャネル品質インジケータ（ＣＱＩ２）の指示情報を介して取得されてもよく、該ＰＭＩに対応する方向と該ユーザ装置の方向との夾角はユーザ装置によりフィードバックされた方位角基準情報を介して取得されてもよい。ＭＵＳＴ伝送を行うことができないユーザ装置について、ｅＮＢは、該ユーザ装置によりフィードバックされたプリコーディング行列インデックス（ＰＭＩ）、第１チャネル品質インジケータ（ＣＱＩ１）又は第２チャネル品質インジケータ（ＣＱＩ２）（オプション）、及びＰＭＩに対応する方向と該ユーザ装置の方向との夾角（オプション）に基づいて、該ユーザ装置のために、変調符号化方式を選択し、ビームフォーミングベクトル及びスケジューリングインデックスを算出してもよい。ここで、第２チャネル品質インジケータ（ＣＱＩ２）はユーザ装置によりフィードバックされたＣＳＩの第２チャネル品質インジケータ（ＣＱＩ２）の指示情報を介して取得されてもよく、該ＰＭＩに対応する方向と該ユーザ装置の方向との夾角はユーザ装置によりフィードバックされた方位角基準情報を介して取得されてもよい。
【００９８】
本実施例のもう１つの態様では、ステップ１１０２において、ＭＵＳＴ伝送を行うことが可能なユーザ装置ペアについて、ｅＮＢは、該２つのユーザ装置によりフィードバックされた方位角基準情報におけるプリコーディング行列インデックス（ＰＭＩ）、第１チャネル品質インジケータ（ＣＱＩ１）、及び該２つのユーザ装置の間の方位角に基づいて、該２つのユーザ装置のために、電力を割り当て、変調符号化方式を選択し、ビームフォーミングベクトル及びスケジューリングインデックスを算出してもよい。ここで、該２つのユーザ装置の間の方位角は該方位角基準情報に基づいて算出されてもよく、ここの方位角基準情報は準最適ＰＭＩであってもよい。ＭＵＳＴ伝送を行うことができないユーザ装置について、ｅＮＢは、該ユーザ装置によりフィードバックされた方位角基準情報におけるプリコーディング行列インデックス（ＰＭＩ）、第１チャネル品質インジケータ（ＣＱＩ１）に基づいて、該ユーザ装置のために、変調符号化方式を選択し、ビームフォーミングベクトル及びスケジューリングインデックスを算出してもよい。
【００９９】
本実施例のデータ伝送方法によれば、ｅＮＢは、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１００】
実施例１〜６の装置又は方法の原理をより明確にさせるために、以下は図面を参照しながらＵＥ及びｅＮＢの動作プロセスを説明する。なお、以下の図面及び動作プロセスは単なる一例であり、本発明の実施例を制限するものではない。
【０１０１】
図１２は実施例１〜６の装置又は方法の１つの態様のフローチャートであり、図１３は図１２のフローにおけるｅＮＢによる任意の２つのＵＥへのペアリング評価のフローチャートである。
【０１０２】
図１２に示すように、該フローは以下のステップを含む。
【０１０３】
ステップ１２０１：ＵＥはｅＮＢにＣＳＩをフィードバックする。
【０１０４】
この態様では、ＵＥによりフィードバックされたＣＳＩは、ＰＭＩ、ＰＭＩに対応するＣＱＩ（ＣＱＩ１）、ＣＤＩに対応するＣＱＩ（ＣＱＩ２）又はＣＤＩに対応するＣＱＩ（ＣＱＩ２）とＰＭＩに対応するＣＱＩ（ＣＱＩ１）との差、及びＰＭＩに対応する方向と該ＵＥの方向との夾角又は該夾角の一対一マッピング関数の値を含む。
【０１０５】
この態様では、ＵＥ＃ｉ（ｉ＝１、２、…）を一例にすると、ＵＥ＃ｉによりフィードバックされたＣＳＩは、以下を含む。
【０１０６】
１）ＰＭＩ：ＰＭＩｉ
２）ＰＭＩに対応するＣＱＩ：ＣＱＩｉ，ＰＭＩ
３）ＣＤＩに対応するＣＱＩ：ＣＱＩｉ，ＣＤＩ、又はＣＤＩに対応するＣＱＩとＰＭＩに対応するＣＱＩとの差：ＣＱＩｉ，ＣＤＩ−ＣＱＩｉ，ＰＭＩ
４）ＰＭＩに対応する方向とＵＥ＃ｉの方向との夾角：ｄｉ
ステップ１２０２：ｅＮＢはＵＥのＰＭＩに基づいてＵＥをグループ分けする。
【０１０７】
この態様では、各ＵＥによりフィードバックされた該ＣＳＩを受信した後に、ｅＮＢは、まず各ＵＥのＰＭＩに基づいて全てのＵＥをグループ分けする。
【０１０８】
ステップ１２０３：ｅＮＢはＵＥペアがペアリングできるか否かを評価する。
【０１０９】
この態様では、ｅＮＢは各グループにおける任意の２つのＵＥについてペアリングの評価を行う。ここで、ペアリング評価を行うためのＵＥペアがＵＥ＃ｉ及びＵＥ＃ｊを一例にする。具体的な評価のプロセスは図１３において説明する。
【０１１０】
ステップ１２０４：ペアリング可能な各ＵＥペアについて、ｅＮＢは、該２つのＵＥによりフィードバックされた該ＣＳＩにおける１）、３）及び４）に基づいて、該２つのユーザ装置のために、電力を割り当て、変調符号化方式を選択し、ビームフォーミングベクトルを算出する。
【０１１１】
ステップ１２０５：各単独ＵＥ（ペアリングができないＵＥ）について、ｅＮＢは、該ＵＥによりフィードバックされた該ＣＳＩにおける１）、２）又は３）、及び４）（オプション）に基づいて、該ユーザ装置のために、変調符号化方式を選択し、ビームフォーミングベクトルを算出する。
【０１１２】
ステップ１２０６：ｅＮＢは、全てのＵＥペア及び単独ＵＥのスケジューリングインデックスを算出する。
【０１１３】
ステップ１２０７：ｅＮＢは、全てのＵＥをスケジューリングしてデータ伝送を行う。
【０１１４】
図１３に示すように、ペアリング評価のフローは以下のステップを含む。
【０１１５】
ステップ１３０１：ｅＮＢは該２つのＵＥの間の方位角を算出する。
【０１１６】
この態様では、ペアリング評価を行うためのＵＥがＵＥ＃ｉ及びＵＥ＃ｊであることを一例にすると、ｅＮＢは該２つのＵＥのそれぞれのＣＳＩを取得してもよく、該ＣＳＩは以下のものを含む。
【０１１７】
１）ＰＭＩに対応するＣＱＩ：ＣＱＩｉ，ＰＭＩ及びＣＱＩｊ，ＰＭＩ
２）ＣＤＩに対応するＣＱＩ：ＣＱＩｉ，ＣＤＩ及びＣＱＩｊ，ＣＤＩ、又はＣＤＩに対応するＣＱＩとＰＭＩに対応するＣＱＩとの差：ＣＱＩｉ，ＣＤＩ−ＣＱＩｉ，ＰＭＩ及びＣＱＩｊ，ＣＤＩ−ＣＱＩｊ，ＰＭＩ
３）ＰＭＩに対応する方向と該ＵＥ＃ｉ及びＵＥ＃ｊの方向との夾角：ｄｉ及びｄｊ
この態様では、上記情報３）によると、ｅＮＢは、該２つのＵＥの間の方位角、例えばθｉ，ｊ＝｜ｄｉ−ｄｊ｜を算出してもよい。
【０１１８】
ステップ１３０２：ｅＮＢは、θｉ，ｊが第１閾値θｔｈｒｅｓｈｏｌｄよりも大きいか否かを判断する。
【０１１９】
この態様では、判断結果がＹＥＳの場合、ＵＥ＃ｉ及びＵＥ＃ｊがペアリングされてＭＵＳＴ伝送を行うことができないと決定する。
【０１２０】
ステップ１３０３：ｅＮＢは、２つのＵＥのＣＤＩに対応するＣＱＩの差を算出する。
【０１２１】
この態様では、上記情報２）によると、ｅＮＢは、該２つのＵＥのＣＤＩに対応するＣＱＩを取得することで、該２つのＵＥのＣＤＩに対応するＣＱＩの差、即ちΔｉ，ｊ＝｜ＣＱＩｉ，ＣＤＩ−ＣＱＩｊ，ＣＤＩ｜を取得してもよい。
【０１２２】
ステップ１３０４：ｅＮＢは、Δｉ，ｊが第２閾値Δｔｈｒｅｓｈｏｌｄよりも大きいか否かを判断する。
【０１２３】
この態様では、判断結果がＹＥＳの場合、ＵＥ＃ｉ及びＵＥ＃ｊがペアリングされてＭＵＳＴ伝送を行うことができると決定し、そうでない場合、ＵＥ＃ｉ及びＵＥ＃ｊがペアリングされてＭＵＳＴ伝送を行うことができないと決定する。
【０１２４】
この態様のフローによれば、ＵＥはＣＤＩに対応するＣＱＩ、及びＰＭＩに対応する方向と該ＵＥの方向との夾角を含むＣＳＩをフィードバックでき、ｅＮＢは、これに基づいてペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１２５】
図１４は実施例１〜６の装置又は方法のもう１つの態様のフローチャートであり、図１５は図１４のフローにおけるｅＮＢによる任意の２つのＵＥへのペアリング評価のフローチャートである。
【０１２６】
図１４に示すように、該フローは以下のステップを含む。
【０１２７】
ステップ１４０１：ＵＥはｅＮＢにＣＳＩをフィードバックする。
【０１２８】
この態様では、図１２の態様と異なって、ＵＥによりフィードバックされたＣＳＩは、ＰＭＩ、ＰＭＩに対応するＣＱＩ（ＣＱＩ１）、ＣＤＩに対応するＣＱＩ（ＣＱＩ２）又はＣＤＩに対応するＣＱＩ（ＣＱＩ２）とＰＭＩに対応するＣＱＩ（ＣＱＩ１）との差、及び準最適ＰＭＩを含む。
【０１２９】
この態様では、ＵＥ＃ｉ（ｉ＝１、２、…）を一例にすると、ＵＥ＃ｉによりフィードバックされたＣＳＩは、以下を含む。
【０１３０】
１）ＰＭＩ（最適）：ＰＭＩｉ
２）ＰＭＩに対応するＣＱＩ：ＣＱＩｉ，ＰＭＩ
３）ＣＤＩに対応するＣＱＩ：ＣＱＩｉ，ＣＤＩ、又はＣＤＩに対応するＣＱＩとＰＭＩに対応するＣＱＩとの差：ＣＱＩｉ，ＣＤＩ−ＣＱＩｉ，ＰＭＩ
４）準最適ＰＭＩ：ＰＭＩｉ，ｓｕｂｏｐｔ
ステップ１４０２：ｅＮＢはＵＥのＰＭＩに基づいてＵＥをグループ分けする。
【０１３１】
この態様では、各ＵＥによりフィードバックされた該ＣＳＩを受信した後に、ｅＮＢは、まず各ＵＥのＰＭＩに基づいて全てのＵＥをグループ分けする。
【０１３２】
ステップ１４０３：ｅＮＢはＵＥペアがペアリングできるか否かを評価する。
【０１３３】
この態様では、ｅＮＢは各グループにおける任意の２つのＵＥについてペアリングの評価を行う。ここで、ペアリング評価を行うためのＵＥペアがＵＥ＃ｉ及びＵＥ＃ｊを一例にする。具体的な評価のプロセスは図１５において説明する。
【０１３４】
ステップ１４０４：ペアリング可能な各ＵＥペアについて、ｅＮＢは、該２つのＵＥによりフィードバックされた該ＣＳＩにおける１）、２）及び方位角に基づいて、該２つのユーザ装置のために、電力を割り当て、変調符号化方式を選択し、ビームフォーミングベクトルを算出する。
【０１３５】
ステップ１４０５：各単独ＵＥ（ペアリングができないＵＥ）について、ｅＮＢは、該ＵＥによりフィードバックされた該ＣＳＩにおける１）、２）に基づいて、該ユーザ装置のために、変調符号化方式を選択し、ビームフォーミングベクトルを算出する。
【０１３６】
ステップ１４０６：ｅＮＢは、全てのＵＥペア及び単独ＵＥのスケジューリングインデックスを算出する。
【０１３７】
ステップ１４０７：ｅＮＢは、全てのＵＥをスケジューリングしてデータ伝送を行う。
【０１３８】
図１５に示すように、ペアリング評価のフローは以下のステップを含む。
【０１３９】
ステップ１５０１：ｅＮＢは該２つのＵＥの準最適ＰＭＩが同一であるか否かを判断する。
【０１４０】
この態様では、ペアリング評価を行うためのＵＥがＵＥ＃ｉ及びＵＥ＃ｊであることを一例にすると、ｅＮＢは該２つのＵＥのそれぞれのＣＳＩを取得してもよく、該ＣＳＩは以下のものを含む。
【０１４１】
１）ＰＭＩに対応するＣＱＩ：ＣＱＩｉ，ＰＭＩ及びＣＱＩｊ，ＰＭＩ
２）ＣＤＩに対応するＣＱＩ：ＣＱＩｉ，ＣＤＩ及びＣＱＩｊ，ＣＤＩ、又はＣＤＩに対応するＣＱＩとＰＭＩに対応するＣＱＩとの差：ＣＱＩｉ，ＣＤＩ−ＣＱＩｉ，ＰＭＩ及びＣＱＩｊ，ＣＤＩ−ＣＱＩｊ，ＰＭＩ
３）準最適ＰＭＩ：ＰＭＩｉ，ｓｕｂｏｐｔ及びＰＭＩｊ，ｓｕｂｏｐｔ
この態様では、上記情報３）によると、ｅＮＢは、該２つのＵＥの準最適ＰＭＩが同一であるか否かを決定してもよい。
【０１４２】
ステップ１５０２：ｅＮＢは、該２つのＵＥの間の方位角を算出する。
【０１４３】
この態様では、準最適ＰＭＩが同一であり、或いは異なるかにより、該２つのＵＥがＰＭＩの同一側に位置するか、それとも異なる側に位置するかを決定する。それに応じて、該２つのＵＥの間の方位角の算出方法も異なる。
【０１４４】
１つの態様では、該２つのＵＥの準最適ＰＭＩが同一であり、該２つのＵＥがＰＭＩの同一側に位置する場合、ｅＮＢは、下記の式に従ってこの２つのＵＥ間の方位角を算出してもよい。
【数３】
2018525888.tif 000027
【０１４５】
もう１つの態様では、該２つのＵＥの準最適ＰＭＩが異なり、該２つのＵＥがＰＭＩの異なる側に位置する場合、ｅＮＢは、下記の式に従ってこの２つのＵＥ間の方位角を算出してもよい。
【数４】
2018525888.tif 000028
【０１４６】
上記２つの算出式は単なる例示的なものであり、具体的に実施する際に、他の式又は他の方法を用いて該２つのＵＥの間の方位角を算出してもよい。
【０１４７】
ステップ１５０３：ｅＮＢは、θｉ，ｊが第１閾値θｔｈｒｅｓｈｏｌｄよりも大きいか否かを判断する。
【０１４８】
この態様では、判断結果がＹＥＳの場合、ＵＥ＃ｉ及びＵＥ＃ｊがペアリングされてＭＵＳＴ伝送を行うことができないと決定する。
【０１４９】
ステップ１５０４：ｅＮＢは、２つのＵＥのＣＤＩに対応するＣＱＩの差を算出する。
【０１５０】
この態様では、上記情報２）によると、ｅＮＢは、該２つのＵＥのＣＤＩに対応するＣＱＩを取得することで、該２つのＵＥのＣＤＩに対応するＣＱＩの差、即ちΔｉ，ｊ＝｜ＣＱＩｉ，ＣＤＩ−ＣＱＩｊ，ＣＤＩ｜を取得してもよい。
【０１５１】
ステップ１５０５：ｅＮＢは、Δｉ，ｊが第２閾値Δｔｈｒｅｓｈｏｌｄよりも大きいか否かを判断する。
【０１５２】
この態様では、判断結果がＹＥＳの場合、ＵＥ＃ｉ及びＵＥ＃ｊがペアリングされてＭＵＳＴ伝送を行うことができると決定し、そうでない場合、ＵＥ＃ｉ及びＵＥ＃ｊがペアリングされてＭＵＳＴ伝送を行うことができないと決定する。
【０１５３】
この態様のフローによれば、ＵＥはＣＤＩに対応するＣＱＩ、及び準最適ＰＭＩを含むＣＳＩをフィードバックでき、ｅＮＢは、これに基づいてペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１５４】
＜実施例７＞
本発明の実施例は、実施例１に記載されたチャネル状態情報のフィードバック装置を含むユーザ装置をさらに提供する。
【０１５５】
図１６は本発明の実施例のユーザ装置１６００の構成を示す図である。図１６に示すように、ユーザ装置１６００は、中央処理装置１６０１及び記憶装置１６０２を含んでもよく、記憶装置１６０２は中央処理装置１６０１に接続される。なお、該図は単なる例示的なものであり、電気通信機能又は他の機能を実現するように、他の種類の構成を用いて、該構成を補充又は代替してもよい。
【０１５６】
１つの態様では、チャネル状態情報のフィードバック装置の機能は中央処理装置１６０１に統合されてもよい。
【０１５７】
もう１つの態様では、チャネル状態情報のフィードバック装置は中央処理装置１６０１とそれぞれ構成されてもよく、例えばチャネル状態情報のフィードバック装置は中央処理装置１６０１に接続されたチップであり、中央処理装置１６０１の制御によりチャネル状態情報のフィードバック装置の機能を実現してもよい。
【０１５８】
図１６に示すように、ユーザ装置１６００は、通信モジュール１６０３、入力部１６０４、音声処理装置１６０５、ディスプレイ１６０６、及び電源１６０７をさらに含んでもよい。なお、ユーザ装置１６００は図１４に示す全てのユニットを含む必要がない。また、ユーザ装置１６００は、図１６に示されていないユニットをさらに含んでもよく、従来技術を参照してもよい。
【０１５９】
図１６に示すように、中央処理装置１６０１は、コントローラ又は操作制御部とも称され、マイクロプロセッサ又は他の処理装置及び／又は論理装置を含んでもよく、中央処理装置１６０１は入力を受け付け、ユーザ装置１６００の各部の操作を制御する。
【０１６０】
ここで、記憶装置１６０２は、例えばバッファ、フラッシュメモリ、ハードディスク、移動可能な媒体、発揮性メモリ、不発揮性メモリ、又は他の適切な装置の１つ又は複数であってもよい。上記情報、及び関連情報を実行するためのプログラムを記憶してもよい。また、中央処理装置１６０１は、記憶装置１６０２に記憶されたプログラムを実行し、情報の記憶又は処理などを実現してもよい。他の部材は従来技術に類似するため、ここでその説明が省略される。端末装置１６００の各部は、本発明の範囲から逸脱することなく、特定のハードウェア、ファームウェア、ソフトウェア又はその組み合わせによって実現されてもよい。
【０１６１】
本実施例のユーザ装置によれば、上記チャネル状態情報のフィードバック装置がＣＤＩに対応するＣＱＩの指示情報及び方位角基準情報を含むＣＳＩをフィードバックすることで、ｅＮＢは、ペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１６２】
＜実施例８＞
本発明の実施例は、実施例２に記載されたユーザペアリング装置又は実施例３に記載されたデータ伝送装置を含む基地局をさらに提供する。
【０１６３】
図１７は本発明の実施例の基地局の構成を示す図である。図１７に示すように、基地局１７００は、中央処理装置（ＣＰＵ）１７０１及び記憶装置１７０２を含んでもよく、記憶装置１７０２は中央処理装置１７０１に接続される。記憶装置１７０２は、各種のデータを記憶してもよいし、情報処理のプログラムをさらに記憶してもよく、中央処理装置１７０１の制御で該プログラムが実行され、ユーザ装置により送信された各種の情報を受信し、ユーザ装置に各種の情報を送信する。
【０１６４】
１つの態様では、実施例２に記載されたユーザペアリング装置又は実施例３に記載されたデータ伝送装置の機能は中央処理装置１７０１に統合されてもよい。
【０１６５】
もう１つの態様では、実施例２に記載されたユーザペアリング装置又は実施例３に記載されたデータ伝送装置は中央処理装置１７０１とそれぞれ構成されてもよく、例えば実施例２に記載されたユーザペアリング装置又は実施例３に記載されたデータ伝送装置は中央処理装置１７０１に接続されたチップであり、中央処理装置１７０１の制御により実施例２に記載されたユーザペアリング装置又は実施例３に記載されたデータ伝送装置の機能を実現してもよい。
【０１６６】
また、図１７に示すように、基地局１７００は、送受信機１７０３及びアンテナ１７０４等をさらに含んでもよい。ここで、上記部材の機能は従来技術と類似し、ここでその説明を省略する。なお、基地局１７００は図１７に示す全てのユニットを含む必要がない。また、基地局１７００は、図１７に示されていないユニットをさらに含んでもよく、従来技術を参照してもよい。
【０１６７】
本実施例の基地局によれば、ｅＮＢは、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１６８】
＜実施例９＞
本発明の実施例は、実施例７に記載されたユーザ装置及び実施例８に記載された基地局を含む通信システムをさらに提供する。
【０１６９】
図１８は本発明の実施例の通信システムのトポロジを示す図である。図１８に示すように、通信システム１８００は基地局１８０１及びユーザ装置１８０２を含む。ここで、基地局１８０１は実施例８に記載された基地局１７００であってもよく、ユーザ装置１８０２は実施例７に記載されたユーザ装置１６００であってもよい。上記実施例において基地局及びユーザ装置を詳細に説明しているため、その内容をここで援用し、ここでその説明を省略する。
【０１７０】
本実施例の通信システムによれば、ユーザ装置はＣＤＩに対応するＣＱＩの指示情報及び方位角基準情報を含むＣＳＩをフィードバックでき、ｅＮＢは、これに基づいてペアリングの評価を行うための２つのＵＥ間の方位角を算出でき、方位角の比較的に大きいＵＥを選択してペアリングを行うことを回避でき、方位角の比較的に小さいＵＥのみを選択し、或いは優先的に選択してペアリングを行うことができる。これによって、ペアリングされたＵＥのビームフォーミングのゲインの損失を回避でき、ＭＵＳＴ送信の性能を向上できる。
【０１７１】
本発明の実施例は、チャネル状態情報のフィードバック装置又はユーザ装置においてプログラムを実行する際に、コンピュータに、実施例４に記載のチャネル状態情報のフィードバック方法を該チャネル状態情報のフィードバック装置又はユーザ装置において実行させる、コンピュータ読み取り可能なプログラムをさらに提供する。
【０１７２】
本発明の実施例は、コンピュータに、実施例４に記載のチャネル状態情報のフィードバック方法をチャネル状態情報のフィードバック装置又はユーザ装置において実行させるためのコンピュータ読み取り可能なプログラムを記憶する、記憶媒体をさらに提供する。
【０１７３】
本発明の実施例は、マルチユーザ重畳伝送（ＭＵＳＴ）におけるユーザペアリング装置、データ伝送装置又は基地局においてプログラムを実行する際に、コンピュータに、実施例５に記載のユーザペアリング方法を該マルチユーザ重畳伝送（ＭＵＳＴ）におけるユーザペアリング装置又は基地局において実行させ、又は実施例６に記載のデータ伝送方法を該データ伝送装置又は基地局において実行させる、コンピュータ読み取り可能なプログラムをさらに提供する。
【０１７４】
本発明の実施例は、コンピュータに、実施例５に記載のユーザペアリング方法をマルチユーザ重畳伝送（ＭＵＳＴ）におけるユーザペアリング装置又は基地局において実行させ、又は実施例６に記載のデータ伝送方法をデータ伝送装置又は基地局において実行させるためのコンピュータ読み取り可能なプログラムを記憶する、記憶媒体をさらに提供する。
【０１７５】
本発明の以上の装置及び方法は、ハードウェアにより実現されてもよく、ハードウェアとソフトウェアを結合して実現されてもよい。本発明はコンピュータが読み取り可能なプログラムに関し、該プログラムは論理部により実行される時に、該論理部に上述した装置又は構成要件を実現させる、或いは該論理部に上述した各種の方法又はステップを実現させることができる。論理部は、例えばフィールドプログラマブルロジックデバイス、マイクロプロセッサ、コンピュータに用いられるプロセッサなどである。本発明は上記のプログラムを記憶するための記憶媒体、例えばハードディスク、磁気ディスク、光ディスク、ＤＶＤ、フラッシュメモリ等に関する。
【０１７６】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【手続補正３】
【補正対象書類名】図面
【補正対象項目名】図１２
【補正方法】変更
【補正の内容】
【図１２】
2018525888.tif 000029
【手続補正４】
【補正対象書類名】図面
【補正対象項目名】図１３
【補正方法】変更
【補正の内容】
【図１３】
2018525888.tif 000030
【手続補正５】
【補正対象書類名】図面
【補正対象項目名】図１６
【補正方法】変更
【補正の内容】
【図１６】
2018525888.tif 000031
【国際調査報告】
2018525888.tif 000032
2018525888.tif 000033
2018525888.tif 000034
2018525888.tif 000035